(57)【特許請求の範囲】
【請求項１】
シート材を収容するシート材収容部と、
該シート材を所定の搬送目的位置まで搬送するシート材搬送部と、
該シート材収容部における該シート材の有無を検知するシート材検知手段と、
該シート材収容部内に収容されたシート材を狭持するシート材狭持手段と、
該シート材狭持手段によって狭持された該シート材に該シート材搬送部側に向かう搬送力を付与して該シート材を送り出すシート材送出手段と、
入力される駆動命令に応じて各電動機構の駆動を制御する制御手段とを有し、
該制御手段は、該シート材検知手段がシート材有りの状態を検知したときには該シート材収容部内の該シート材を挟持する狭持状態となるように該シート材狭持手段を制御し、該シート材収容部内に該シート材が無いことを検知したときには狭持状態を解除するように制御するものであり、
該制御手段は、所定時間の間に該駆動命令が入力されない場合、駆動時に通電を要する該電動機構のうち、該シート材検知手段以外の少なくとも一部に対する通電を停止する節電モードを実行し、
該節電モードの実行時に、該シート材検知手段による該シート材収容部における該シート材の検知状態が、無しから有りに変化すると該節電モードを解除する解除条件が設定されたシート材搬送装置において、
上記節電モードでは、上記シート材狭持手段の電動機構に対する通電を停止し、
上記制御手段は、上記節電モードを実行する前に、上記狭持状態を解除するように上記シート材狭持手段を制御することを特徴とするシート材搬送装置。
【請求項２】
請求項１のシート材搬送装置において、
上記シート材収容部は、載置面の上方にシート材が載置されることでシート材を収容するシート材載置部であり、
上記シート材狭持手段は、該シート材載置部の少なくとも一部を上昇及び下降させる載置部昇降手段と、該シート材載置部との間で上記シート材を挟み込むシート材上部狭持部材とを備え、
該載置部昇降手段が、該シート材載置部を上昇させることで該シート材載置部と該シート材上部狭持部材との距離が狭まり上記狭持状態となり、該載置部昇降手段が、該シート材載置部を下降させることで該シート材載置部と該シート材上部狭持部材との距離が広がり該狭持状態が解除されることを特徴とするシート材搬送装置。
【請求項３】
請求項１または２のシート材搬送装置において、
使用時の設定を選択できる使用者設定として、
所定時間の間に駆動命令が入力されない場合に、上記制御手段が上記節電モードを実行する前に、上記狭持状態を解除するように上記シート材狭持手段を制御する狭持解除優先設定と、
所定時間の間に駆動命令が入力されない場合に、該制御手段が該狭持状態を解除する制御を行うことなく該節電モードを実行する節電優先設定とを選択可能であることを特徴とするシート材搬送装置。
【請求項４】
請求項３のシート材搬送装置において、
上記節電優先設定の状態でのさらなる上記使用者設定として、
上記節電モードの実行時に、上記シート材検知手段による上記シート材収容部における上記シート材の検知状態が、有りから無しに変化すると該節電モードを解除するシート材除去時節電解除設定と、該検知状態が、有りから無しに変化しても該節電モードを解除しないシート材除去時節電継続設定とを選択可能であることを特徴とするシート材搬送装置。
【請求項５】
シート材としての原稿用紙を搬送する原稿搬送手段と、
該原稿搬送手段によって搬送される原稿用紙の原稿画像を読み取る搬送原稿読取手段とを備えた画像読取装置において、
上記原稿搬送手段として、請求項１乃至４のいずれか１項に記載のシート材搬送装置を用いたことを特徴とする画像読取装置。
【請求項６】
請求項５の画像読取装置において、
使用者により所定の固定位置にセットされた静止した状態の原稿用紙の原稿画像を読み取る静止原稿読取部と、
開放することにより、該固定位置が露出し、該原稿用紙をセット可能な状態とする開閉部材とを備え、
上記シート材搬送装置が上記節電モードの実行時に、該開閉部材が開放されると、該節電モードが解除されることを特徴とする画像読取装置。
【請求項７】
画像読取手段と、
該画像読取手段で読み取った原稿画像に基づいて画像を形成する画像形成手段とを備える画像形成装置において、
該画像読取手段として、請求項５または６の画像読取装置を備えることを特徴とする画像形成装置。
【発明の詳細な説明】
【技術分野】
【０００１】
本発明は、複数枚のシート材を収容するシート材収容部からシート材を一枚ずつ分離して搬送するシート材搬送装置、並びにこのシート材搬送装置を備えた画像読取装置及び画像形成装置に関するものである。
【背景技術】
【０００２】
従来、複写機の画像読取部やスキャナとして用いられる画像読取装置としては、シート状の原稿を所定の速度で搬送しながら、装置に固定された画像読取手段によって原稿画像を読み取る、所謂、シートスルー方式で画像を読み取ることができるものがある。シートスルー方式の画像読取装置は、原稿を搬送しながら画像を読み取る機構のため、いったん原稿を止めて露光するタイプ（ブックタイプ）に比べて生産性を高くすることができることが特徴のひとつである。シートスルー方式の原稿読取装置では、原稿トレイに載置された原稿を画像読取手段が画像を読み取る読取位置に向けて搬送する自動原稿搬送装置を備えている。
【０００３】
近年における環境問題対策の観点から、自動原稿搬送装置でも低消費電力（省エネルギー）化が望まれている。低消費電力化を図る構成として、所定時間の間に駆動命令が入力されない場合、駆動時に通電を要するモータやセンサ等の電動機構のうち、少なくとも一部に対する通電を停止する節電モードを実行する自動原稿搬送装置が知られている（例えば、特許文献１）。
このような節電モードを実行する自動原稿搬送装置では、トリガーとなる所定の節電解除条件が満たされると節電モードを解除し、各駆動機構に対する通電を再開する。
【０００４】
節電解除条件として、原稿トレイ上における原稿の有無を検知する原稿検知センサの検知状態が、原稿無しの状態から原稿有りの状態に変化したことを検知（以下、原稿セット検知という）することを用いた自動原稿搬送装置が知られている。この装置では、節電モードにおいても原稿検知センサに対する通電は継続されており、使用者は原稿トレイに原稿をセットするという節電解除操作で節電モードを解除することができる。
【０００５】
また、自動原稿搬送装置としては、原稿トレイ上の原稿に対して搬送力を付与するピックアップローラを備え、原稿トレイ上に原稿が有ることを検知すると、原稿トレイに対して離間した位置にあったピックアップローラを原稿トレイ上の原稿の上面に当接させるものがある。
このような自動原稿搬送装置では、使用者が原稿をセットすると原稿検知センサが原稿有りの状態を検知して、ピックアップローラを原稿に当接させ、ピックアップローラと原稿トレイとで原稿を狭持する。その後、原稿をセットした使用者がコピー開始ボタンを押すと、ピックアップローラを回転させるだけで原稿の搬送を開始することができ、コピー開始ボタンが押されてからピックアップローラを原稿の上面に当接させるものに比べて原稿セットから原稿の給紙開始までの時間を短縮することができる。
この装置に用いられる原稿検知センサは、ピックアップローラと原稿トレイとが原稿を狭持する狭持位置に対して、原稿搬送方向で同じ位置、または、より下流側の位置における原稿の有無を検知するものである。これは、原稿トレイ上に原稿を載置しても、原稿先端部が狭持位置に到達していなくては、ピックアップローラによって搬送力を付与できないためである。
【０００６】
ピックアップローラと原稿トレイとの位置関係が原稿を狭持するときの位置関係にあると、狭持位置における原稿トレイの上方の原稿をセットできる空間が非常に狭い状態、または、無い状態であるので、新たな原稿を原稿トレイにセットすることができなくなる。このため、原稿トレイ上に原稿が無いことを検知すると、ピックアップローラと原稿トレイとを離間させ、狭持状態を解除する構成となっている。狭持状態を解除することで、新たな原稿を原稿トレイにセットすることが可能となる。
【０００７】
そして、自動原稿搬送装置としては、上述した原稿セット検知が節電解除条件となる構成と、原稿トレイ上に原稿が有ることを検知するとピックアップローラを原稿の上面に当接させる構成との両方を採用し、且つ、前者の原稿セット検知と後者の原稿有無検知とで原稿検知センサを兼用したものが知られている。この自動原稿搬送装置では、節電モードの状態の自動原稿搬送装置に原稿がセットされると、原稿検知センサによって原稿セット検知がなされ、各駆動機構に対する通電がなされる。原稿セット検知時には、原稿検知センサは原稿有りの状態を検知するため、ピックアップローラを原稿に当接させ、原稿トレイとの間で原稿を狭持する。その後、使用者がコピー開始ボタンを押すと、原稿の給紙が開始される。このように、節電モードの状態のときに、使用者は原稿をセットしてコピー開始ボタンを押すだけで、原稿の給紙を開始させることが出来るという高い操作性を実現できる。
【発明の概要】
【発明が解決しようとする課題】
【０００８】
ところが、上記両方を採用した自動原稿搬送装置では、次の不具合が残っている。
この自動原稿搬送装置では、使用者が原稿をセットした後、コピー開始ボタンを押すことなく、原稿を原稿トレイから回収する場合がある。原稿をセットした直後は、節電モードが解除された駆動モードの状態であるが、原稿をセットした後、駆動命令が入力されないまま所定時間が経過すると節電モードの状態となる。
【０００９】
上述した原稿トレイから原稿が回収されるタイミングが、原稿をセットした後、所定時間が経過する前であれば、駆動モードの状態ままであるため、原稿検知センサが、原稿トレイ上に原稿が無いことを検知し、狭持状態が解除される。
一方、原稿トレイから原稿が回収されるタイミングが、原稿をセットした後、駆動命令が入力されないまま所定時間が経過して、節電モードに移行した後であると、原稿検知センサが、原稿トレイ上に原稿が無いことを検知しても狭持状態は解除されない。節電モードでは、ピックアップローラを用いて原稿を狭持する狭持状態とこの狭持状態の解除とを切り替える電動機構（ピックアップ昇降モータ等）に通電されていないからである。このように、狭持状態が解除されないと、原稿トレイから原稿が回収されるタイミングによっては、その後に新たな原稿をセットして、給紙を行おうとする場合に、新たな原稿を原稿トレイにセットすることが出来ない。原稿を原稿トレイにセットすることが出来ないと、原稿をセットするという節電解除操作によって節電モードを解除することが出来ない。
【００１０】
このため、狭持状態のままで節電モードとなった自動原稿搬送装置に対して、使用者は操作パネル上でのキー操作などの他の節電解除操作を原稿セットの操作とは別に行う必要がある。このように、他の節電解除操作によって節電モードが解除されれば、駆動モードとなるため、原稿検知センサが、原稿トレイ上に原稿が無いことを検知し、狭持状態が解除され、新たな原稿を原稿トレイにセットすることが出来るようになる。
しかし、使用者は、新たな原稿の給紙を行おうとするときに、他の節電解除操作によって節電モードを解除した後、駆動モードとなった自動原稿搬送装置が原稿検知センサの原稿無しの検知に基づいて狭持状態を解除するのを待ってから新たな原稿のセットを行い、コピー開始ボタンを押すという一連の操作が必要となる。
このため、原稿の給紙を行うときには、原稿をセットしてコピー開始ボタンを押すだけで給紙を開始できるという操作に慣れている使用者にとっては、原稿をセットする前に他の節電解除操作を行うことで操作性が低下したり、原稿セットを行おうとしてから給紙が始まるまでに要する時間が長くなったりすることで使用感が悪化する、という不具合が残っているのである。
【００１１】
節電モードに移行した後に、原稿トレイから原稿が回収された場合に、原稿回収後に原稿セット以外の他の節電解除操作を行うことなく、狭持状態を解除する構成としては、原稿検知センサの検知状態が、原稿有りの状態から原稿無しの状態に変化したことを節電解除条件に設定する構成が考えられる。このような構成では、使用者が原稿を回収すると、原稿検知センサの検知状態が、原稿有りの状態から原稿無しの状態に変化するため、節電モードが解除され、駆動モードとなる。駆動モードになると、原稿検知センサが原稿トレイ上に原稿が無いことを検知し、この検知結果に基づいて狭持状態が解除される。この後は、再び節電モードになっても駆動モードのままであっても、狭持状態が解除された状態であるため、新たな原稿をセットすることができ、使用者は次の給紙を行うときには、原稿をセットしてコピー開始ボタンを押すだけで原稿の給紙を開始できる。
しかし、原稿トレイから原稿が回収された後は、そのまま原稿を持ち帰るなど、すぐにコピー動作を行わないことがある。このため、節電モードの状態の自動原稿搬送装置から原稿が回収される度に節電モードを解除する構成を採用するのは、低消費電力の観点から好ましくない。
【００１２】
このような問題は、搬送するシート材が原稿である原稿搬送装置に限るものではない。シート材をシート収容部にセットするとシート材を狭持するシート材搬送装置であって、節電モードの状態でシート材をシート収容部にセットすると節電モードが解除される構成であれば生じ得る問題である。
【００１３】
本発明は以上の問題点に鑑みなされたものであり、その目的は、シート収容部にシート材を収容したままの状態で節電モードに移行し、その後、収容されていたシート材が回収された場合に、新たなシート材をシート収容部にセットするだけで節電モードを解除することができるシート材搬送装置、並びに、これを備えた画像読取装置、及び画像形成装置を提供することである。
【課題を解決するための手段】
【００１４】
上記目的を達成するために、請求項１の発明は、シート材を収容するシート材収容部と、該シート材を所定の搬送目的位置まで搬送するシート材搬送部と、該シート材収容部における該シート材の有無を検知するシート材検知手段と、該シート材収容部内に収容されたシート材を狭持するシート材狭持手段と、該シート材狭持手段によって狭持された該シート材に該シート材搬送部側に向かう搬送力を付与して該シート材を送り出すシート材送出手段と、入力される駆動命令に応じて各電動機構の駆動を制御する制御手段とを有し、該制御手段は、該シート材検知手段が該シート材が有ることを検知したときには該シート材収容部内の該シート材を挟持する狭持状態となるように該シート材狭持手段を制御し、該シート材収容部内に該シート材が無いことを検知したときには狭持状態を解除するように制御するものであり、該制御手段は、所定時間の間に該駆動命令が入力されない場合、駆動時に通電を要する該電動機構のうち、該シート材検知手段以外の少なくとも一部に対する通電を停止する節電モードを実行し、該節電モードの実行時に、該シート材検知手段による該シート材収容部における該シート材の検知状態が、無しから有りに変化すると該節電モードを解除する節電解除条件が設定されたシート材搬送装置において、上記節電モードでは、上記シート材狭持手段の電動機構に対する通電を停止し、上記制御手段は、上記節電モードを実行する前に、上記狭持状態を解除するように上記シート材狭持手段を制御することを特徴とするものである。
【００１５】
本発明においては、狭持状態を解除した後に節電モードとなるため、シート材をシート材収容部に収容したままの状態で所定の時間が経過して節電モードとなっても、シート材の狭持状態は解除された状態となる。このとき、シート材収容部からシート材を回収すると、狭持状態が解除された状態でシート材収容部からシート材が無くなるため、次に新たなシート材をシート材収容部にセットする際に、シート材狭持手段によってセットを妨げることなくシート材のセットが可能となる。シート材狭持手段によってセットを妨げることなく新たなシート材をセットすることで、シート材検知手段によるシート材収容部におけるシート材の検知状態を、無しから有りに変化させることができ、この検知状態の変化は節電解除条件に設定されている。よって、シート材をシート材収容部に収容したままの状態で節電モードに移行し、その後、収容されていたシート材が回収されても、使用者はシート材収容部にシート材をセットするだけで節電モードを解除することができる。
【発明の効果】
【００１６】
本発明によれば、シート収容部にシート材を収容したままの状態で節電モードに移行し、その後、収容されていたシート材が回収された場合に、新たなシート材をシート収容部にセットするだけで節電モードを解除することができるという優れた効果がある。
【図面の簡単な説明】
【００１７】
【図１】原稿がセットされたまま可動原稿テーブルを下降させた状態のＡＤＦにおける原稿載置台近傍の拡大説明図。
【図２】実施形態に係る複写機を示す概略構成図。
【図３】同複写機における画像形成部の一部を拡大して示す部分構成図。
【図４】同画像形成部における４つのプロセスユニットからなるタンデム部の一部を示す部分拡大図。
【図５】同複写機のスキャナ及びＡＤＦを示す斜視図。
【図６】本実施形態のＡＤＦをスキャナの上部とともに示す概略構成図。
【図７】ＡＤＦ全体の制御ブロック図。
【図８】固定画像読取部の電気回路の要部を示すブロック図。
【図９】待機状態のＡＤＦにおける原稿載置台近傍の拡大説明図。
【図１０】原稿のセットを完了した状態のＡＤＦにおける原稿載置台近傍の拡大説明図。
【図１１】狭持状態が維持されたまま原稿が回収された状態のＡＤＦにおける原稿載置台近傍の拡大説明図。
【図１２】本実施形態の複写機において、所定時間の間に駆動命令が入力されない場合に実行される省エネルギーモードに移行する制御のフローチャート。
【図１３】変形例の複写機において、所定時間の間に駆動命令が入力されない場合に実行される省エネルギーモードに移行する制御のフローチャート。
【図１４】変形例の複写機において、ユーザー設定として設定βが選択されたときに、省エネルギーモード実行中に、原稿が回収されたときの制御のフローチャート。
【発明を実施するための形態】
【００１８】
以下、本発明を、電子写真方式の複写機（以下、単に複写機５００という）に適用した実施形態について説明する。
まず、本実施形態に係る複写機５００の基本的な構成について説明する。
図２は、複写機５００を示す概略構成図である。複写機５００は、画像形成手段としての画像形成部１と、転写紙供給装置４０と、画像読取ユニット５０とを備えている。画像読取装置としての画像読取ユニット５０は、画像形成部１の上に固定されたスキャナ１５０と、これに支持されるシート搬送装置としての原稿自動搬送装置（以下、ＡＤＦという）５１とを有している。
【００１９】
転写紙供給装置４０は、ペーパーバンク４１内に多段に配設された二つの転写紙給紙カセット４２、転写紙給紙カセット４２から転写紙Ｐを送り出す転写紙送出ローラ４３、送り出された転写紙Ｐを分離して転写紙給紙路４４に供給する転写紙分離ローラ４５等を有している。また、画像形成部１の搬送路としての本体側転写紙給紙路３７に、記録媒体としての転写紙Ｐを搬送する複数の搬送ローラ４７等も有している。そして、転写紙給紙カセット４２内の転写紙Ｐを画像形成部１内の本体側転写紙給紙路３７内に給紙する。
【００２０】
画像形成部１は、光書込装置２や、黒，イエロー，マゼンタ，シアン（Ｋ，Ｙ，Ｍ，Ｃ）のトナー像を形成する四つのプロセスユニット３（Ｋ，Ｙ，Ｍ，Ｃ）、転写ユニット２４、紙搬送ユニット２８、レジストローラ対３３、定着装置３４、転写紙反転装置３６、本体側転写紙給紙路３７等を備えている。そして、光書込装置２内に配設された図示しないレーザーダイオードやＬＥＤ等の光源を駆動して、ドラム状の四つの感光体４（Ｋ，Ｙ，Ｍ，Ｃ）に向けてレーザー光Ｌを照射する。この照射により、感光体４（Ｋ，Ｙ，Ｍ，Ｃ）の表面には静電潜像が形成され、この潜像は所定の現像プロセスを経由してトナー像に現像される。
【００２１】
図３は、画像形成部１の内部構成の一部を拡大して示す部分構成図である。また、図４は、四つのプロセスユニット３（Ｋ，Ｙ，Ｍ，Ｃ）からなるタンデム部の一部を示す部分拡大図である。四つのプロセスユニット３（Ｋ，Ｙ，Ｍ，Ｃ）は、それぞれ使用するトナーの色が異なる他はほぼ同様の構成になっているので、図４においては各符号に付すＫ，Ｙ，Ｍ，Ｃという添字を省略している。
【００２２】
プロセスユニット３（Ｋ，Ｙ，Ｍ，Ｃ）は、それぞれ、感光体４とその周囲に配設される各種装置とを１つのユニットとして共通の支持体に支持するものであり、複写機５００本体の画像形成部１に対して着脱可能になっている。一つのプロセスユニット３は、感光体４の周りに、帯電装置５、現像装置６、ドラムクリーニング装置１５、除電ランプ２２等を有している。複写機５００では、四つのプロセスユニット３（Ｋ，Ｙ，Ｍ，Ｃ）を、後述する中間転写ベルト２５に対してその無端移動方向に沿って並べるように対向配設した、いわゆるタンデム型の構成になっている。
【００２３】
感光体４としては、アルミニウム等の素管に、感光性を有する有機感光材の塗布による感光層を形成したドラム状のものを用いている。但し、無端ベルト状のものを用いても良い。
【００２４】
現像装置６は、磁性キャリアと非磁性トナーとを含有する図示しない二成分現像剤を用いて潜像を現像するようになっている。内部に収容している二成分現像剤を攪拌しながら搬送して現像スリーブ１２に供給する攪拌部７と、現像スリーブ１２に担持された二成分現像剤中のトナーを感光体４に転移させるための現像部１１とを有している。
【００２５】
攪拌部７は、現像部１１よりも低い位置に設けられており、互いに平行配設された二本の搬送スクリュ８、これら二本の搬送スクリュ８間に設けられた仕切り板、現像ケース９の底面に設けられたトナー濃度センサ１０などを有している。
【００２６】
現像部１１は、現像ケース９の開口を通して感光体４に対向する現像スリーブ１２、これの内部に回転不能に設けられたマグネットローラ１３、現像スリーブ１２に先端を接近させるドクタブレード１４などを有している。現像スリーブ１２は、非磁性の回転可能な筒状になっている。マグネットローラ１３は、ドクタブレード１４との対向位置から現像スリーブ１２の回転方向に向けて順次並ぶ複数の磁極を有している。これらの磁極は、それぞれ現像スリーブ１２上の二成分現像剤に対して回転方向の所定位置で磁力を作用させる。これにより、攪拌部７から送られてくる二成分現像剤を現像スリーブ１２表面に引き寄せて担持させるとともに、現像スリーブ１２表面上で磁力線に沿った磁気ブラシを形成する。
【００２７】
磁気ブラシは、現像スリーブ１２の回転に伴ってドクタブレード１４との対向位置を通過する際に適正な層厚に規制されてから、感光体４に対向する現像領域に搬送される。そして、現像スリーブ１２に印加される現像バイアスと、感光体４の静電潜像との電位差によってトナーを静電潜像上に転移させて現像に寄与する。更に、磁気ブラシを形成し、現像スリーブ１２に担持され現像領域を通過した二成分現像剤は、現像スリーブ１２の回転に伴って再び現像部１１内に戻り、マグネットローラ１３の磁極間に形成される反発磁界の影響によってスリーブ表面から離脱した後、攪拌部７内に戻される。攪拌部７内には、トナー濃度センサ１０による検知結果に基づいて、二成分現像剤に適量のトナーが補給される。現像装置６としては、二成分現像剤を用いるものの代わりに、磁性キャリアを含まない一成分現像剤を用いるものを採用してもよい。
【００２８】
ドラムクリーニング装置１５としては、弾性体からなるクリーニングブレード１６を感光体４に押し当てる方式のものを用いているが、他の方式のものを用いてもよい。また、本実施形態では、クリーニング性を高める目的で、外周面を感光体４に接触させる接触導電性のファーブラシ１７を、図中矢印方向に回転自在に有する方式のものを採用している。このファーブラシ１７は、図示しない固形潤滑剤から潤滑剤を掻き取って微粉末にしながら感光体４表面に塗布する役割も兼ねている。ファーブラシ１７にバイアスを印加する金属製の電界ローラ１８を図中矢示方向に回転自在に設け、これにスクレーパ１９の先端を押し当てている。ファーブラシ１７に付着したトナーは、ファーブラシ１７に対してカウンタ方向に接触して回転しながらバイアスが印加される電界ローラ１８に転位する。
【００２９】
そして、スクレーパ１９によって電界ローラ１８から掻き取られた後、回収スクリュ２０上に落下する。回収スクリュ２０は、回収トナーをドラムクリーニング装置１５における図紙面と直交する方向の端部に向けて搬送して、外部のリサイクル搬送装置２１に受け渡す。リサイクル搬送装置２１は、受け渡された回収トナーを現像装置６に送ってリサイクルする。
【００３０】
除電ランプ２２は、光照射によって感光体４の表面を除電する。除電された感光体４の表面は、帯電装置５によって一様に帯電せしめられた後、光書込装置２による光書込処理がなされる。複写機５００では、帯電装置５として帯電バイアスが印加される帯電ローラを感光体４に当接させながら回転させるものを用いているが、感光体４に対して非接触で帯電処理を行うスコロトロンチャージャ等を用いてもよい。
【００３１】
先に示した図３において、四つのプロセスユニット３（Ｋ，Ｙ，Ｍ，Ｃ）の感光体４（Ｋ，Ｙ，Ｍ，Ｃ）には、これまで説明してきたプロセスによってＫ，Ｙ，Ｍ，Ｃトナー像が形成される。
【００３２】
四つのプロセスユニット３（Ｋ，Ｙ，Ｍ，Ｃ）の下方には、転写ユニット２４が配設されている。転写ユニット２４は、複数のローラによって張架した中間転写ベルト２５を、感光体４（Ｋ，Ｙ，Ｍ，Ｃ）に当接させながら図中時計回り方向に無端移動させる。これにより、感光体４（Ｋ，Ｙ，Ｍ，Ｃ）と、中間転写ベルト２５とが当接するＫ，Ｙ，Ｍ，Ｃ用の一次転写ニップが形成されている。Ｋ，Ｙ，Ｍ，Ｃ用の一次転写ニップの近傍では、ベルトループ内側に配設された一次転写ローラ２６（Ｋ，Ｙ，Ｍ，Ｃ）によって中間転写ベルト２５を感光体４（Ｋ，Ｙ，Ｍ，Ｃ）に向けて押圧している。これらの一次転写ローラ２６（Ｋ，Ｙ，Ｍ，Ｃ）には、それぞれ図示しない電源によって一次転写バイアスが印加されている。これにより、Ｋ，Ｙ，Ｍ，Ｃ用の一次転写ニップには、感光体４（Ｋ，Ｙ，Ｍ，Ｃ）上のトナー像を中間転写ベルト２５に向けて静電移動させる一次転写電界が形成されている。図３中時計回り方向の無端移動に伴ってＫ，Ｙ，Ｍ，Ｃ用の一次転写ニップを順次通過していく中間転写ベルト２５のおもて面には、各一次転写ニップでトナー像が順次重ね合わせて一次転写される。この重ね合わせの一次転写により、中間転写ベルト２５のおもて面には四色重ね合わせトナー像（以下、四色トナー像という）が形成される。
【００３３】
転写ユニット２４の図中下方には、駆動ローラ３０と二次転写ローラ３１との間に、無端状の紙搬送ベルト２９を掛け渡して無端移動させる紙搬送ユニット２８が設けられている。そして、二次転写ローラ３１と、転写ユニット２４の下部張架ローラ２７との間に、中間転写ベルト２５及び紙搬送ベルト２９を挟み込んでいる。これにより、中間転写ベルト２５のおもて面と、紙搬送ベルト２９のおもて面とが当接する二次転写ニップが形成されている。二次転写ローラ３１には図示しない電源によって二次転写バイアスが印加されている。一方、転写ユニット２４の下部張架ローラ２７は接地されている。これにより、二次転写ニップに二次転写電界が形成されている。
【００３４】
この二次転写ニップの図中右側方には、レジストローラ対３３が配設されている。また、レジストローラ対３３のレジストニップの入口付近には、図示しないレジストローラセンサが配設されている。転写紙供給装置４０からレジストローラ対３３に向けて搬送されてくる転写紙Ｐは、その先端が不図示のレジストローラセンサに検知された所定時間後に転写紙Ｐの搬送が一時停止し、レジストローラ対３３のレジストニップに先端を突き当てる。この結果、転写紙Ｐの姿勢が修正され、画像形成との同期をとる準備が整う。
【００３５】
転写紙Ｐの先願がレジストニップに突き当たると、レジストローラ対３３は、転写紙Ｐを中間転写ベルト２５上の四色トナー像に同期させ得るタイミングでローラ回転駆動を再開して、転写紙Ｐを二次転写ニップに送り出す。二次転写ニップ内では、中間転写ベルト２５上の四色トナー像が二次転写電界やニップ圧の影響によって転写紙Ｐに一括二次転写され、転写紙Ｐの白色と相まってフルカラー画像となる。二次転写ニップを通過した転写紙Ｐは、中間転写ベルト２５から離間して、紙搬送ベルト２９のおもて面に保持されながら、その無端移動に伴って定着装置３４へと搬送される。
【００３６】
二次転写ニップを通過した中間転写ベルト２５のおもて面には、二次転写ニップで転写紙Ｐに転写されなかった転写残トナーが付着している。この転写残トナーは、クリーニング部材が中間転写ベルト２５に当接するベルトクリーニング装置３２によって掻き取り除去される。
【００３７】
定着装置３４に搬送された転写紙Ｐは、定着装置３４内における加圧や加熱によってフルカラー画像が定着され、定着装置３４から排紙ローラ対３５に送られた後、機外の排紙トレイ５０１へと排出される。
【００３８】
図２に示すように、紙搬送ユニット２８および定着装置３４の下には、転写紙反転装置３６が配設されている。これにより、両面プリントを行う場合には、片面に対する画像定着処理を終えた転写紙Ｐの搬送経路が、切換爪によって転写紙反転装置３６側に切り換えられ、そこで転写紙Ｐは反転されて再び二次転写転写ニップに進入する。そして、転写紙Ｐのもう片面にも画像の二次転写処理と定着処理とが施された後、転写紙Ｐは排紙トレイ５０１上に排紙される。
【００３９】
次に、画像形成部１の上に固定された画像読取ユニット５０について、説明する。
スキャナ１５０やこれの上に固定されたＡＤＦ５１からなる画像読取ユニット５０は、後述する二つの固定画像読取部や移動読取部１５２を有している。移動読取部１５２は、原稿ＭＳに接触するようにスキャナ１５０のケーシング上壁に固定された第二コンタクトガラス１５５の直下に配設されており、光源や、反射ミラーなどからなる光学系を図中左右方向に移動させることができる。そして、光学系を図中左側から右側に移動させていく過程で、光源から発した光を第二コンタクトガラス１５５上に載置された原稿ＭＳの下面で反射させた後、複数の反射ミラーを経由させて、スキャナ１５０に固定された画像読取センサ１５３で受光する。
【００４０】
一方、画像読取ユニット５０は固定画像読取部として、スキャナ１５０の内部に配設された第一固定読取部１５１と、ＡＤＦ５１内に配設された後述する第二固定読取部９５とを有している。光源、反射ミラー、ＣＣＤ等の画像読取センサなどを有する第一固定読取部１５１は、原稿ＭＳに接触するようにスキャナ１５０のケーシング上壁に固定された第一コンタクトガラス１５４の直下に配設されている。そして、ＡＤＦ５１によって搬送される原稿ＭＳが第一コンタクトガラス１５４上を通過する際に、光源から発した光を原稿ＭＳの第一面で順次反射させながら、複数の反射ミラーを経由させて画像読取センサ１５３で受光する。これにより、光源や反射ミラー等からなる光学系を移動させることなく、原稿ＭＳの第一面を走査する。また、第二固定読取部９５は、第一固定読取部１５１を通過した後の原稿ＭＳの第二面を走査する。
【００４１】
スキャナ１５０の上に配設されたＡＤＦ５１は、本体カバー５２に、読取前の原稿ＭＳを載置するための原稿載置台５３、シート材としての原稿ＭＳを搬送するための原稿搬送部５４、読取後の原稿ＭＳをスタックするための原稿スタック台５５などを保持している。
図５は、画像読取ユニット５０の斜視説明図である。図５に示すように、ＡＤＦ５１は、スキャナ１５０に固定された蝶番１５９によって上下方向に揺動可能に支持されている。そして、その揺動によって開閉扉のような動きをとり、開かれた状態でスキャナ１５０の上面の第一コンタクトガラス１５４や第二コンタクトガラス１５５を露出させる。
【００４２】
原稿束の片隅を綴じた本などの片綴じ原稿の場合には、原稿を一枚ずつ分離することができないため、ＡＤＦ５１による搬送を行うことができない。そこで、片綴じ原稿の場合には、ＡＤＦ５１を図５に示すように開いた後、読み取らせたいページが見開かれた片綴じ原稿を下向きにして第二コンタクトガラス１５５上に載せた後、ＡＤＦ５１を閉じる。そして、スキャナ１５０の図２に示した移動読取部１５２によってそのページの画像を読み取らせる。第二コンタクトガラス１５５の左端には左スケール１５６が配置されており、原稿を左スケール１５６の目盛りに合わせて突き当てるように第二コンタクトガラス１５５上に載せて、画像の読み取りを行う。
【００４３】
一方、互いに独立した複数の原稿ＭＳを単に積み重ねた原稿束の場合には、その原稿ＭＳをＡＤＦ５１によって１枚ずつ自動搬送しながら、スキャナ１５０内の第一固定読取部１５１やＡＤＦ５１内の第二固定読取部９５に順次読み取らせていくことができる。この場合、原稿画像のコピーを行おうとする使用者は、原稿束を原稿載置台５３上にセットした後、操作部１０８のコピースタートボタン１５８を押す。すると、ＡＤＦ５１が、原稿載置台５３上に載置された原稿束の原稿ＭＳを上から順に原稿搬送部５４内に送り、それを反転させながら原稿スタック台５５に向けて搬送する。この搬送の過程で、原稿ＭＳを反転させた直後にスキャナ１５０の第一固定読取部１５１の真上に通す。このとき、原稿ＭＳの第一面の画像がスキャナ１５０の第一固定読取部１５１によって読み取られる。
【００４４】
次に、ＡＤＦ５１について説明する。
図６は、ＡＤＦ５１の要部構成をスキャナ１５０の上部とともに示す拡大構成図である。ＡＤＦ５１は、原稿セット部Ａ、分離搬送部Ｂ、レジスト部Ｃ、ターン部Ｄ、第一読取搬送部Ｅ、第二読取搬送部Ｆ、排紙部Ｇ、スタック部Ｈ等を備えている。本実施形態のＡＤＦ５１の原稿搬送部５４は、分離搬送部Ｂの下流側の突き当てセンサ７２による検知位置から、読取入口ローラ対９０までの原稿ＭＳが搬送される経路を構成する部分である。
また、ＡＤＦ５１は、装置本体に対してカバー回動中心１４５ａを中心に回動することで、分離搬送部Ｂ、レジスト部Ｃ及びターン部Ｄの途中まで給紙経路を開閉する給紙部カバー１４５を備える。
【００４５】
原稿セット部Ａは、原稿ＭＳの第一面が上方となるように原稿ＭＳの束がセットされる原稿載置台５３等を有している。分離搬送部Ｂは、セットされた原稿ＭＳの束から原稿ＭＳを一枚ずつ分離して給送するものである。レジスト部Ｃは、給送された原稿ＭＳを一次整合する働きと、整合した後の原稿ＭＳを引き出し搬送する働きとを有するものである。ターン部Ｄは、Ｃ字状に湾曲する湾曲搬送部を有しており、この湾曲搬送部内で原稿ＭＳを折り返しながらその上下が反転するようにターンさせて、原稿ＭＳの第一面を下方に向けるものである。
【００４６】
第一読取搬送部Ｅは、第一コンタクトガラス１５４の上で原稿ＭＳを搬送しながら、第一コンタクトガラス１５４の下方からスキャナ１５０の内部に配設されている第一固定読取部１５１に原稿ＭＳの第一面を読み取らせるものである。
第二読取搬送部Ｆは、第一固定読取部１５１による読取位置を通過した原稿ＭＳを、第二固定読取部９５の下方に配置された第二読取ローラ９６によって搬送しながら、原稿ＭＳの第二面を第二固定読取部９５に読み取らせるものである。
また、排紙部Ｇは、第一固定読取部１５１による読取位置、及び、第二固定読取部９５による読取位置を通過した原稿ＭＳをスタック部Ｈに向けて排出するものである。スタック部Ｈは、読取完了後の原稿ＭＳを原稿スタック台５５の上に積載保持するものである。
【００４７】
図７は、ＡＤＦ５１全体の制御ブロック図である。ＡＤＦ５１の制御部は、原稿の搬送動作の駆動を行う駆動部である各モータ（１０１〜１０５、１１３、１１４）、各種センサ部、固定画像読取部３００（第一固定読取部１５１または第二固定読取部９５）等の、一連の動作を制御するコントローラ１００等から構成されている。
【００４８】
図８は、固定画像読取部３００の電気回路の要部を示すブロック図である。固定画像読取部３００は、光源部２００、センサチップ２０１、画像処理部２０４、フレームメモリ２０５、出力制御回路２０６等から構成されている。
光源部２００は、ＬＥＤアレイ、蛍光灯、あるいは冷陰極管などからなる。また、センサチップ２０１は、主走査方向（原稿幅方向に対応する方向）に複数並べて配置しており、複数のＯＰアンプ回路２０２は複数のセンサチップ２０１のそれぞれに個別に接続されている。さらに、複数のＡ／Ｄコンバータ２０３が、複数のＯＰアンプ回路２０２のそれぞれに個別に接続されている。
【００４９】
センサチップ２０１は、等倍密着イメージセンサと称される光電変換素子と集光レンズとを具備するものである。固定画像読取部３００による読取位置に原稿ＭＳが進入するのに先立って、コントローラ１００から光源部２００に点灯信号が送られる。これにより、光源部２００が点灯し、その光を図示しない原稿の表面（第一固定読取部１５１の場合は第一面、第二固定読取部９５の場合は第二面）に向けて照射する。原稿ＭＳの表面で反射した反射光は、複数のセンサチップ２０１において、集光レンズによって光電変換素子に集光されて画像情報として読み取られる。それぞれのセンサチップ２０１で読み取られた画像情報は、ＯＰアンプ回路２０２によって増幅された後、Ａ／Ｄコンバータ２０３によってデジタル画像情報に変換される。
【００５０】
このようにして得られたデジタル画像情報は、画像処理部２０４に入力されてシェーディング補正などが施された後、フレームメモリ２０５に一時記憶される。その後、出力制御回路２０６によって本体制御部１１１（複写機５００本体の制御部）に受入可能なデータ形式に変換された後、画像データとして、Ｉ／Ｆ回路１０７を経由して本体制御部１１１に出力される。なお、コントローラ１００からは原稿ＭＳの先端が固定画像読取部３００による読取位置に到達するタイミング（そのタイミング以降の画像データが有効データとして扱われる）を知らせるためのタイミング信号や光源の点灯信号、電源等が出力されるようになっている。
【００５１】
読取を行う原稿ＭＳの束は、第一面が上向きとなるように載せられた状態で原稿載置台５３上にセットされる。原稿載置台５３は、原稿ＭＳの先端側を支持し原稿ＭＳの束の厚みに応じて図６中矢印ａ−ｂ方向に揺動可能な可動原稿テーブル５３ｂと、原稿ＭＳの後端側を支持する固定原稿テーブル５３ａとから構成される。原稿ＭＳが原稿載置台５３にセットされたときに、原稿載置台５３上において、その幅方向（原稿ＭＳの搬送方向に直交する方向で、図６の紙面に直交する方向）の両端に対してそれぞれ図示しないサイドガイドが突き当てられることで、幅方向における原稿ＭＳの位置決めがなされる。
【００５２】
このようにして原稿載置台５３にセットされる原稿ＭＳは、可動原稿テーブル５３ｂの上方で揺動可能に配設されたレバー部材であるセットフィラー６２を押し上げる。これに伴って原稿セットセンサ６３が原稿ＭＳのセットを検知して、検知信号をコントローラ１００に送信する。そして、この検知信号は、コントローラ１００からインターフェイス回路（以下、Ｉ／Ｆ回路１０７と呼ぶ）を介して画像読取ユニット５０の本体制御部１１１に送信される。
【００５３】
また、固定原稿テーブル５３ａには、原稿ＭＳの搬送方向の長さを検知する反射型フォトセンサまたは原稿一枚でも検知可能なアクチュエーター・タイプのセンサからなる複数の原稿長さセンサ（５７、５８ａ、５８ｂ）が配置されている。これらの原稿長さセンサにより、原稿ＭＳの搬送方向の長さの概略が判定される(少なくとも同一原稿サイズの縦か横かを判断可能なセンサ配置が必要)。
【００５４】
可動原稿テーブル５３ｂの上方にはピックアップローラ８０が配置されている。ピックアップローラ８０は、ピックアップ搬送モータ１１５から駆動が伝達されることによって回転駆動する。また、分離部としての分離ニップを構成する給紙ベルト８４及びリバースローラ８５は、給紙モータ１０２から駆動が伝達されることによって回転駆動する。
可動原稿テーブル５３ｂは、底板上昇モータ１０５の駆動により、駆動するカム機構によって図６中矢印ａ−ｂ方向に揺動する。原稿ＭＳが原稿載置台５３にセットされたことをセットフィラー６２や原稿セットセンサ６３で検知すると、コントローラ１００は、底板上昇モータ１０５を正転させて束状の原稿ＭＳの最上面がピックアップローラ８０と接触するように可動原稿テーブル５３ｂを上昇させる。
【００５５】
ピックアップローラ８０は、ピックアップ昇降モータ１０１によって駆動するカム機構により、図６中矢印ｃ−ｄ方向に移動可能となっている。また、ピックアップローラ８０は、図６中の矢印ｄ方向に下降した状態で、可動原稿テーブル５３ｂが上昇して可動原稿テーブル５３ｂ上の原稿ＭＳの上面により押されると、図中矢印ｃ方向に上昇する。これをテーブル上昇センサ５９で検知することにより、可動原稿テーブル５３ｂの上限までの上昇が検知される。これにより、ピックアップ昇降モータ１０１が停止するとともに底板上昇モータ１０５が停止し、可動原稿テーブル５３ｂとピックアップローラ８０との間で原稿ＭＳが狭持される。本実施形態では、可動原稿テーブル５３ｂとピックアップローラ８０との両方に昇降機構を備えているが、原稿ＭＳを狭持する機構としては、可動原稿テーブル５３ｂとピックアップローラ８０との何れか一方のみに昇降機構を備える構成であってもよい。
【００５６】
原稿ＭＳが原稿載置台５３にセットされた状態で、両面読取モードか片面読取モードかを指定され、操作部１０８のコピースタートボタン１５８が押下されると、本体制御部１１１からＩ／Ｆ回路１０７を介してＡＤＦ５１の制御部であるコントローラ１００に原稿給紙信号が送信される。これにより、ピックアップ搬送モータ１１５及び給紙モータ１０２が正転方向に駆動する。ピックアップ搬送モータ１１５の正転によってピックアップローラ８０が回転駆動し、原稿載置台５３上の数枚(理想的には１枚)の原稿ＭＳをピックアップする。このときのピックアップローラ８０の回転方向は、最上位の原稿ＭＳを分離搬送部Ｂに向けて搬送する方向である。
【００５７】
ここで両面読取モードか片面読取モードかを設定する際、原稿載置台５３上にセットされた原稿ＭＳに対して全て同じように設定しても良いし、（１枚目、２枚目、・・・ｎ枚目の）それぞれの原稿ＭＳに対して異なる設定をしても良い。例えば、全１０枚の原稿ＭＳのうち、１枚目と１０枚目との原稿ＭＳは両面読取モードとし、その他の原稿ＭＳは片面読取モードとする等である。
【００５８】
ピックアップローラ８０によって送り出された原稿ＭＳは、分離搬送部Ｂに進入して、給紙ベルト８４とリバースローラ８５との当接位置である分離ニップの分離入口４８に送り込まれる。この給紙ベルト８４は、給紙駆動ローラ８２と給紙従動ローラ８３とによって張架されており、給紙モータ１０２の正転に伴う給紙駆動ローラ８２の回転によって給紙方向（図６中時計回り方向）に無端移動される。
【００５９】
この給紙ベルト８４の下部張架面にはリバースローラ８５が当接している。このリバースローラ８５は、給紙モータ１０２の正転によって給紙方向とは逆方向（図６中時計回り方向）に回転する駆動が伝達される。このように、給紙ベルト８４とリバースローラ８５との分離ニップにおける表面移動方向が逆方向であることにより、最上位の一枚の原稿ＭＳのみを給紙できる構成となっている。
【００６０】
詳しくは、給紙ベルト８４とリバースローラ８５との当接部である分離ニップにおいては、給紙ベルト８４の表面が給紙方向に移動する。一方、リバースローラ８５の表面は、給紙方向とは逆方向に移動しようとするが、リバースローラ８５の駆動伝達部には不図示のトルクリミッタがある。このため、給紙方向に向かう力がトルクリミッタのトルクよりも大きいと、リバースローラ８５は給紙方向に表面移動するように図６中の反時計回り方向に回転する。
【００６１】
リバースローラ８５は、給紙ベルト８４に所定の圧力で当接するように、図示を省略した加圧手段によって付勢されている。そして、リバースローラ８５は、給紙ベルト８４に直接当接している状態、または、原稿ＭＳの１枚だけを介して給紙ベルト８４に当接している状態（分離ニップに原稿ＭＳが一枚だけ挟み込まれている状態）では、給紙ベルト８４または原稿ＭＳに連れ回り、図６中の反時計周り方向に回転する。一方、分離ニップに二枚以上の原稿ＭＳが挟み込まれたときには、連れ回り力がトルクリミッタのトルクよりも低くなるように、トルクリミッタが設定されているため、リバースローラ８５は連れ回り方向とは逆方向である、図６中時計回りに回転駆動する。これにより、分離搬送部Ｂに向けて搬送された原稿ＭＳのうち、最上位の原稿ＭＳ以外の原稿ＭＳには、リバースローラ８５によって給紙方向とは反対方向の移動力が付与され、押し戻されることにより、数枚の原稿から最上位の原稿ＭＳだけが分離され、重送が防止される。
【００６２】
給紙ベルト８４とリバースローラ８５との作用によって１枚に分離された原稿ＭＳは、レジスト部Ｃに進入する。そして、この原稿ＭＳは給紙ベルト８４によって更に送られ、突き当てセンサ７２によって先端が検知され、更に進んで停止しているプルアウトローラ対８６に突き当たる。このとき駆動している給紙モータ１０２は、突き当てセンサ７２による先端の検知から所定時間だけ駆動させて、その後停止させる。これにより、原稿ＭＳが突き当てセンサ７２による検知位置から所定量定められた距離だけ送られ、結果的には、原稿ＭＳがプルアウトローラ対８６に所定量の撓みをもって押し当てられた状態で給紙ベルト８４による原稿ＭＳの搬送が停止する。
【００６３】
突き当てセンサ７２によって原稿ＭＳの先端が検知されたときに、ピックアップ昇降モータ１０１を回転させることで、ピックアップローラ８０を原稿ＭＳの上面から退避させ原稿ＭＳを給紙ベルト８４の搬送力のみで送る。これにより、原稿ＭＳの先端は、プルアウトローラ対８６の上下のローラによって形成されるニップに進入し、先端の整合(スキュー補正)が行われる。
【００６４】
プルアウトローラ対８６は、上述したように、スキュー補正機能を有すると共に、分離後にスキュー補正された原稿ＭＳを中間ローラ対６６まで搬送するためのローラ対である。また、プルアウトモータ１１３が駆動することにより、プルアウトローラ対８６を構成する二つのローラのうちの一方が回転駆動する。
プルアウトローラ対８６の駆動源としては、給紙モータ１０２としてもよい。このような場合には、給紙モータ１０２を正転させたときには、給紙ベルト８４及びリバースローラ８５に駆動を伝達し、給紙モータ１０２を逆転させたときには、プルアウトローラ対８６に駆動を伝達するように構成する。しかし、本実施形態のように、プルアウトローラ対８６を独立した駆動源であるプルアウトモータ１１３によって駆動することにより、モータの立ち上げ時間および立ち下げ時間を短縮することが可能となり、生産性が向上する。
【００６５】
プルアウトローラ対８６によって送り出された原稿ＭＳは、原稿幅センサ７３の直下を通過する。原稿幅センサ７３は、反射型フォトセンサ等からなる紙検知センサを原稿幅方向（図６の紙面に直交する方向）に複数個並べたセンサであり、どの紙検知センサが原稿ＭＳを検知するかに基づいて、原稿ＭＳの幅方向のサイズを検知する。また、原稿ＭＳの搬送方向の長さは、原稿ＭＳの先端が突き当てセンサ７２によって検知されてから、原稿ＭＳが突き当てセンサ７２によって検知されなくなる（原稿ＭＳの後端が通過する）までのタイミングに基づいてモータパルスから検知する。
【００６６】
プルアウトローラ対８６及び中間ローラ対６６の回転駆動によって搬送される原稿ＭＳは、中間ローラ対６６及び読取入口ローラ対９０によって搬送されるターン部Ｄに進入する。
中間ローラ対６６は、プルアウトローラ対８６の駆動源であるプルアウトモータ１１３と、読取入口ローラ対９０の駆動源である読取入口モータ１１４との両方のモータから駆動が伝達される構成となっている。そして、２つのモータのうち、回転速度が速くなる側のモータの駆動によって中間ローラ対６６を構成するローラの回転速度が決まる機構を備えている。
ＡＤＦ５１では、プルアウトローラ対８６及び中間ローラ対６６の回転駆動によりレジスト部Ｃからターン部Ｄに原稿ＭＳが搬送される際には、レジスト部Ｃでの搬送速度を第一読取搬送部Ｅでの搬送速度よりも高速に設定しており、原稿ＭＳを第一読取搬送部Ｅへ送り込む処理時間の短縮が図られている。このとき、中間ローラ対６６はプルアウトモータ１１３を駆動源として回転する。
【００６７】
原稿ＭＳの先端が読取入口センサ６７により検出されると、プルアウトモータ１１３の減速を開始する。これと同時に、読取入口モータ１１４及び読取モータ１０３を正転駆動する。読取入口モータ１１４を正転駆動することで読取入口ローラ対９０が搬送方向に回転駆動する。また、読取モータ１０３を正転駆動することで読取出口ローラ対９２及び第二読取出口ローラ対９３が搬送方向にそれぞれ回転駆動する。
【００６８】
読取入口モータ１１４の駆動を開始し、プルアウトモータ１１３を減速することで、プルアウトモータ１１３から駆動伝達されることによる中間ローラ対６６の回転速度よりも、読取入口モータ１１４から駆動伝達されることによる中間ローラ対６６の回転速度の方が速くなると、中間ローラ対６６は読取入口モータ１１４を駆動源として回転駆動する。
これにより、読取入口ローラ対９０の上下のローラによって形成されるニップに原稿ＭＳの先端が進入する前に、原稿ＭＳの搬送速度を第一読取搬送部Ｅでの搬送速度と同速にすることができる。
【００６９】
ターン部Ｄから第一読取搬送部Ｅに向かう原稿ＭＳの先端をレジストセンサ６５で検知すると、コントローラ１００は、所定の時間をかけて各モータの駆動を減速することで、原稿ＭＳの搬送速度を所定の搬送距離をかけて減速する。そして、コントローラ１００は、第一固定読取部１５１によって原稿ＭＳの第一面の画像を読み取る第一読取位置４００の手前で、原稿ＭＳを一時停止するように制御する。さらに、これと共に、本体制御部１１１にＩ／Ｆ回路１０７を介してレジスト停止信号を送信する。
【００７０】
続いて、コントローラ１００が本体制御部１１１より読取開始信号を受信すると、レジスト停止していた原稿ＭＳの原稿先端が第一読取位置４００に到達するまでに、原稿ＭＳの搬送速度が所定の搬送速度に立ち上がるように、読取入口モータ１１４及び読取モータ１０３の駆動を制御する。これにより、原稿ＭＳは搬送速度が増速されつつ、第一読取位置４００に向かって搬送される。そして、読取入口モータ１１４のパルスカウントに基づいて算出された原稿ＭＳの先端が第一読取位置４００に到達するタイミングで、コントローラ１００から本体制御部１１１に対して原稿ＭＳの第一面の副走査方向有効画像領域を示すゲート信号が送信される。このゲート信号の送信は、原稿ＭＳの後端が第一読取位置４００を抜け出るまで続けられ、原稿ＭＳの第一面が第一固定読取部１５１によって読み取られる。
【００７１】
また、図６に示すように、左スケール１５６の上面は左端側の高さが低くなるように傾斜している。これにより、第一読取位置４００を通過した原稿ＭＳの先端は、左スケール１５６の傾斜にすくい上げられ、読取出口ローラ対９２のニップに向かう。
なお，生産性を上げるために、読取入口ローラ対９０において所定の速度になるよう減速し、第一読取位置４００の手前で一時停止しないまま、第一読取位置４００に達するまでに所定の読み取り速度になるよう制御してもよい。このとき、読取入口ローラ対９０にて線速差が生じることにより、読取入口ローラ対９０およびその上流にて原稿ＭＳの撓みが発生し、スキューの補正を行うことが可能となる。
【００７２】
第一読取搬送部Ｅを通過した原稿ＭＳは、読取出口ローラ対９２のニップを通過した後、その先端が排紙センサ６１によって検知され、さらに、その後、第二読取搬送部Ｆを通過して排紙部Ｇへと搬送される。
原稿ＭＳの片面（第一面）のみを読み取る片面読取モードの場合には、第二固定読取部９５による原稿ＭＳの第二面の読取が不要である。そこで、排紙センサ６１によって原稿の先端が検知されると、排紙モータ１０４の正転駆動が開始されて、排紙ローラ対９４における図中上側の排紙ローラが図中反時計回り方向に回転駆動される。また、排紙センサ６１によって原稿ＭＳの先端が検知されてからの排紙モータ１０４のパルスカウントに基づいて、原稿ＭＳの後端が排紙ローラ対９４のニップを抜け出るタイミングが演算される。そして、この演算結果に基づいて、原稿ＭＳの後端が排紙ローラ対９４のニップから抜け出る直前のタイミングで、排紙モータ１０４の駆動速度が減速せしめられて、原稿ＭＳが原稿スタック台５５から飛び出さないような速度で排紙されるように制御される。
【００７３】
一方、原稿ＭＳの両面（第一面及び第二面）を読み取る両面読取モードの場合には、排紙センサ６１によって原稿ＭＳの先端が検知された後、第二固定読取部９５に到達するまでのタイミングが読取モータ１０３のパルスカウントに基づいて演算される。そして、そのタイミングでコントローラ１００から本体制御部１１１に対して原稿ＭＳの第二面における副走査方向の有効画像領域を示すゲート信号が送信される。このゲート信号の送信は、原稿ＭＳの後端が第二固定読取部９５による第二読取位置を抜け出るまで続けられ、原稿ＭＳの第二面が第二固定読取部９５によって読み取られる。
【００７４】
読取手段としての第二固定読取部９５は、密着型イメージセンサ（ＣＩＳ）からなり、原稿ＭＳに付着している糊状の異物が読取面に付着することによる読取縦すじを防止する目的で、読取面にコーティング処理が施されている。また、原稿ＭＳが通過する搬送路を挟んで第二固定読取部９５に対向する位置には、原稿ＭＳを非読取面側（第一面側）から支持する原稿支持手段としての第二読取ローラ９６が配設されている。この第二読取ローラ９６は、第二固定読取部９５による第二読取位置での原稿ＭＳの浮きを抑えるとともに、第二固定読取部９５におけるシェーディングデータを取得するための基準白部として機能する役割を担っている。
【００７５】
また、本実施形態では、搬送される原稿ＭＳの画像を読み取る搬送原稿読取手段として、第一固定読取部１５１及び第二固定読取部９５の二つの固定画像読取部３００を備えている。原稿ＭＳの両面の画像を読み取る構成としては、固定画像読取部３００を二つ備える構成に限らず、一つの固定画像読取部３００でおもて面の読み取りがなされた原稿ＭＳをスイッチバックさせて、再び固定画像読取部３００の読取位置を通過するときに裏面の読み取りを行う構成であっても良い。
【００７６】
次に、原稿ＭＳをＡＤＦ５１にセットしたときの可動原稿テーブル５３ｂとピックアップローラ８０との動作について説明する。
図９は、原稿ＭＳをセットする前のＡＤＦ５１における原稿載置台５３近傍の拡大説明図である。図１は、使用者が原稿ＭＳをセットした直後のＡＤＦ５１、または、後述する原稿ＭＳがセットされたまま可動原稿テーブル５３ｂを下降させた状態のＡＤＦ５１における原稿載置台５３近傍の拡大説明図である。また、図１０は、原稿ＭＳのセットを完了した状態のＡＤＦ５１における原稿載置台５３近傍の拡大説明図である。図１１は、狭持状態が維持されたまま原稿ＭＳが回収された状態のＡＤＦ５１における原稿載置台５３近傍の拡大説明図である。
【００７７】
図６を用いて説明したＡＤＦ５１では、リバースローラ８５との当接位置で分離ニップを形成する部材として給紙ベルト８４を用いた構成について説明したが、図１、図９及び図１０に示すＡＤＦ５１では給紙ローラ８４ａを用いた構成である。その表面移動の制御としては上述した給紙ベルト８４の表面移動の制御と同様の制御を行うものである。
【００７８】
ＡＤＦ５１は、可動原稿テーブル５３ｂの上方に可動原稿テーブル５３ｂと共に揺動する原稿セットガイド５３ｅを備えている。原稿セットガイド５３ｅは、可動原稿テーブル５３ｂの上面との間に所定の間隔を持って配置されており、図９に示す原稿ＭＳをセットする前のＡＤＦ５１のピックアップローラ８０の下方に原稿ＭＳを案内する部材である。また、セットフィラー６２は、原稿セットガイド５３ｅに設けられた揺動軸を中心に図９中の矢印ｇ−ｈ方向に揺動可能に取り付けられている。原稿セットセンサ６３は、検知位置におけるセットフィラー６２の先端の有無を検知するものであり、原稿セットセンサ６３によって、セットフィラー６２が検知位置に無いであることを検知することにより、原稿ＭＳがセットされたことを検知することができる。
【００７９】
ピックアップローラ８０の上方には、テーブル上昇センサ５９が配置されている。テーブル上昇センサ５９は、可動原稿テーブル５３ｂが上昇し過ぎたことを検出して原稿ＭＳの束の上面が適正な給紙高さに保たれていることを検出するセンサである。
可動原稿テーブル５３ｂの下方には、底板昇降用レバー５３ｃが配置されており、底板上昇モータ１０５の駆動によって底板昇降用回転軸５３ｆが回転駆動することによって、図９中矢印ｅ−ｆ方向に揺動する。このとき、底板昇降用レバー５３ｃが図９中の矢印ｅ方向に回転することによって、可動原稿テーブル５３ｂを押し上げ、図中の矢印ａ方向に可動原稿テーブル５３ｂを回転させることができる。また、底板昇降用レバー５３ｃには、底板下降状態検知フィラー５３ｄが配置されており、この底板下降状態検知フィラー５３ｄを底板ホームポジションセンサ６０が検知することにより、可動原稿テーブル５３ｂが図９に示すように下がり切った、ホームポジションの位置にあることを検知することが出来る。
【００８０】
図９は、使用者から原稿セットを待っている状態、すなわち、待機状態のＡＤＦ５１の拡大説明図である。図９に示す状態のＡＤＦ５１に対して、使用者によって原稿ＭＳのセットが行われると、原稿ＭＳの先端がセットフィラー６２に突き当たることで、セットフィラー６２が図９中矢印ｇ方向に揺動し、図１に示す状態となる。これにより、セットフィラー６２が原稿セットセンサ６３の検知位置から外れ、原稿セットセンサ６３は、セットフィラー６２が検知位置に無い状態となったことを検知する。この検知結果が本体制御部１１１を介してコントローラ１００に入力されることにより、コントローラ１００は、原稿ＭＳがセットされたことを検知する。
【００８１】
コントローラ１００は、原稿セットを検知すると、底板上昇モータ１０５を正転駆動させ、底板昇降用回転軸５３ｆを中心に底板昇降用レバー５３ｃを回転させ、可動原稿テーブル５３ｂを押し上げる。この押し上げによって、可動原稿テーブル５３ｂが図中矢印ａ方向に回転し、載置された原稿ＭＳの上面が上昇して、ピックアップローラ８０に接触する。その後、さらに、可動原稿テーブル５３ｂが押し上げられることにより、ピックアップローラ８０は可動原稿テーブル５３ｂと共に上昇する。この上昇によって、ピックアップローラ８０を支持するピックアップローラ用アーム８０ａに設けられたピックアップ位置検知フィラー８０ｂがテーブル上昇センサ５９の検知位置に到達し、図１０に示す状態となる。
【００８２】
テーブル上昇センサ５９がピックアップ位置検知フィラー８０ｂを検知する図１０の状態となると、コントローラ１００は、全ての上昇動作を停止し原稿ＭＳのセットが完了したことを伝達する信号を本体制御部１１１に送信し、印刷要求待ち状態となる。原稿ＭＳがセットされ、図１０の状態になった後、使用者がコピースタートボタン１５８を押すことによる印刷要求が有れば、ＡＤＦ５１は原稿ＭＳの搬送を開始し、搬送された原稿ＭＳはスキャナ１５０による読取が行われる。
【００８３】
テーブル上昇センサ５９がピックアップ位置検知フィラー８０ｂを検知し、可動原稿テーブル５３ｂの上昇を停止させた状態で、ＡＤＦ５１における原稿ＭＳの給紙が繰り返されると、原稿ＭＳの上面の位置が下がり、ピックアップローラ８０の位置も下がる。これにより、ピックアップ位置検知フィラー８０ｂの位置がテーブル上昇センサ５９の検知位置から外れ、テーブル上昇センサ５９の検知状態がＯＦＦになると、コントローラ１００は、底板上昇モータ１０５を再び正転駆動させ、テーブル上昇センサ５９の検知状態がＯＮになると、底板上昇モータ１０５の駆動を停止させる。このような制御を繰り返すことにより、原稿ＭＳの束の上面位置が給紙に適した高さに維持される。
【００８４】
セットされた原稿ＭＳが全て給紙されると、セットフィラー６２に突き当たる原稿ＭＳが無くなるため、セットフィラー６２は図１０中の矢印ｈ方向に回転し、原稿セットセンサ６３による検知位置に到達し、原稿セットセンサ６３の検知状態がＯＮになる。原稿セットセンサ６３の検知状態がＯＮになったことが、本体制御部１１１を介してコントローラ１００に入力されることにより、コントローラ１００は、原稿載置台５３上から原稿ＭＳが無くなったことを検知する。この検知に基づいて、コントローラ１００は、底板上昇モータ１０５を逆転駆動させ、底板昇降用回転軸５３ｆを中心に底板昇降用レバー５３ｃを図１０中矢印ｆ方向に回転させる。これにより、押し上げが解除された可動原稿テーブル５３ｂは図１０中矢印ｂ方向に回転し、その端部（原稿ＭＳの搬送方向端部）が下降し、図９に示す状態となる。このとき、底板下降状態検知フィラー５３ｄを底板ホームポジションセンサ６０が検知し、可動原稿テーブル５３ｂがホームポジションの位置にあることを検知する。
【００８５】
可動原稿テーブル５３ｂの位置がホームポジションとなることにより、可動原稿テーブル５３ｂとピックアップローラ８０との間の狭持状態が解除され、新たな原稿ＭＳの束を原稿載置台５３上にセットできるようになる。
【００８６】
複写機５００では、低消費電力化を図るため、所定時間の間に駆動命令が入力されない場合、ＡＤＦ５１を含めた画像読取ユニット５０への電力の供給を停止する省エネルギーモードに移行する設定となっている。ここで、駆動命令とは、複写機５００への画像形成要求指示（原稿ＭＳがセットされた状態でのコピースタートボタン１５８の押下や、パーソナルコンピューター等の外部装置からの画像形成要求等）や使用者によるＡＤＦ５１への原稿セット等である。
また、使用者が原稿セットを行った後、コピースタートボタン１５８の押下による印刷要求を行わないまま、所定の時間が経過した場合も同様に省エネルギーモードに移行する。
【００８７】
ＡＤＦ５１が備える原稿セットセンサ６３は、図７に示すように、コントローラ１００を介さずに本体制御部１１１と通信できる構成となっている。または、原稿セットセンサ６３に対する電力の供給もＡＤＦ５１の他の部材とは異なる経路によって電力が供給される構成となっている。このため、省エネルギーモードとなって画像読取ユニット５０に対する電力の供給が停止しても、原稿セットセンサ６３は検知可能であり、その検知結果を本体制御部１１１の制御に用いることができる。
【００８８】
省エネルギーモードの状態から画像読取ユニット５０に電力を供給する状態に戻す条件（以下、「電力復帰トリガー」と呼ぶ）は、明らかにコピー動作が行われることが予測される条件を満たした場合のみとすることが望ましい。
このため、省エネルギーモードとなった複写機５００の電力復帰トリガーとしては、次の（１）〜（７）のものが設定されている。
（１）操作パネル上のハードキーやタッチキー操作（電源キーを除く）。
（２）リフトアップ動作時：図５に示すＡＤＦ５１のスキャナ１５０に対する開閉操作時。
（３）ＡＤＦ５１への原稿セット動作：原稿セットセンサ６３の検知結果がＯＮからＯＦＦに変化したことを検出。
（４）手差しトレイ２５０への転写紙セット時：手差しトレイ２５０上に紙が無い状態からある状態に変化したことを不図示のセンサによって検出したとき。
（５）転写紙供給装置４０の転写紙給紙カセット４２が引き出されたとき。
（６）外部装置からの復帰要求：ＴＷＡＩＮスキャナ等操作部利用時。
（７）外装カバー開放時：閉まった状態にあった外装カバー（給紙部カバー１４５や装置本体の外装カバーなど、ジャム紙を取り除く際に開放するカバー）が開放状態に変化したことを不図示のセンサによって検知したとき。
【００８９】
上記（１）〜（７）の電力復帰トリガーのように、次にコピー動作の実行命令が予測されるような条件を満たしたときに、電力復帰を行う。これにより、使用者は、何れかの電力復帰トリガーの条件を満たした後、電力復帰用の特定の操作を別途行うことなく、コピー実行命令（コピースタートボタン１５８の押下）を行うことでコピー動作を行うことができる。
【００９０】
上述したように、複写機５００では、使用者がＡＤＦ５１に原稿セットを行った後、コピースタートボタン１５８の押下による印刷要求を行わないまま、所定の時間が経過した場合も省エネルギーモードに移行する。このとき、図１０に示すように、原稿載置台５３上の原稿ＭＳにピックアップローラ８０が当接したままの状態、すなわち、可動原稿テーブル５３ｂとピックアップローラ８０とが狭持状態のままで、省エネルギーモードに移行すると、原稿載置台５３上の原稿ＭＳを回収しても、図１１で示すように、狭持状態が維持されたまま、省エネルギーモードが継続される。
なお、省エネルギーモードに移行する前のタイミングで、原稿載置台５３上の原稿ＭＳを回収されると（図１０の状態から図１１の状態に変化すると）、ＡＤＦ５１には電力が供給されているため、セットされた原稿ＭＳが全て給紙された場合と同様に、図１１の状態から図９の状態となるように制御がなされる。
【００９１】
省エネルギーモードの前に原稿載置台５３にセットされた原稿ＭＳを省エネルギーモード時に回収した後の使用者の行動としては以下の（イ）及び（ロ）の二通りが考えられる。
（イ）原稿ＭＳを原稿載置台５３から回収した後、回収した原稿ＭＳを再び原稿載置台５３にセットしてコピーを行う。
（ロ）原稿ＭＳを原稿載置台５３から回収した後はコピーを行わず、原稿ＭＳを持ち帰る。
【００９２】
原稿載置台５３上の原稿ＭＳが回収され、狭持状態が維持されたまま、省エネルギーモードが継続される場合、上記（イ）の場合、回収した原稿ＭＳを再び原稿載置台５３にセットしようとしても、狭持状態のままでは可動原稿テーブル５３ｂとピックアップローラ８０との間に隙間がなく、原稿ＭＳを再セットできない。原稿ＭＳを再セットできないと、上記（３）の電力復帰トリガーを用いることが出来ず、使用者は省エネルギーモードを解除するために、上記（３）以外の電力復帰トリガーを実行する必要がある。
【００９３】
このような場合、ＡＤＦ５１への原稿セット動作を行ったあとに、コピースタートボタン１５８の押下するだけ、というコピー操作に慣れた使用者は、原稿ＭＳを再セットできないことに困惑し、故障を疑うおそれがある。
また、原稿ＭＳを再セットできないときに、他の電力復帰トリガーを実行することを認識している使用者にとっても以下の不具合がある。すなわち、狭持状態のままで省エネルギーモードとなった複写機５００に対して、他の電力復帰トリガーを実行して省エネルギーモードを解除した場合、省エネルギーモードが解除され、電力が供給されたＡＤＦ５１において、原稿セットセンサ６３の原稿無しの検知に基づいて狭持状態を解除するのを待ってから原稿ＭＳをセットし、コピースタートボタン１５８を押す必要がある。このため、原稿ＭＳをセットしてコピースタートボタン１５８を押すだけで原稿ＭＳの給紙を開始できるという操作に慣れている使用者にとっては、他の電力復帰トリガーを用いることで操作性が低下したり、原稿セットから要する時間が長くなったりすることで使用感が悪化する。
また、上記（ロ）の場合においても、狭持状態では、新たな原稿ＭＳがセットできないため、上記（イ）の場合と同様の問題が生じ得る。
【００９４】
なお、本実施形態では、狭持状態を形成するシート材狭持手段の構成として、可動底板である可動原稿テーブル５３ｂを上昇させるとともに、ピックアップローラ８０を下降させることで、可動原稿テーブル５３ｂとピックアップローラ８０との間で原稿ＭＳを狭持する構成を備えている。シート材狭持手段の構成としては、ピックアップローラと底板との両方を動かす構成に限らない。ピックアップローラのみ動かす構成や、可動底板のみを動かす構成のように何れか一方を動かす構成であっても、原稿セットを検知すると狭持状態を形成する構成であれば同様の問題が生じ得る。
【００９５】
以下、上記問題を解決することができる本実施形態のＡＤＦ５１の特徴部について説明する。
本実施形態のＡＤＦ５１では、本体制御部１１１及びコントローラ１００の制御により、省エネルギーモードを実行する前に、可動原稿テーブル５３ｂとピックアップローラ８０との狭持状態を解除する制御を行う構成となっている。
図１２は、本実施形態の複写機５００において、所定時間の間に駆動命令が入力されない場合に実行される省エネルギーモードに移行する制御のフローチャートである。
【００９６】
複写機５００では、所定時間の間に駆動命令が入力されない場合、本体制御部１１１からコントローラ１００に省エネルギーモードへ移行する準備通知がなされる（Ｓ１１）。準備通知が入力されたコントローラ１００は、本体制御部１１１を介して原稿セットセンサ６３の検知状態の情報を取得する（Ｓ１２）。ここで、原稿セットセンサ６３の検知状態がＯＮの場合（Ｓ１２で「Ｙ」）は、原稿セットセンサ６３の検知位置にセットフィラー６２が位置する状態であり、原稿載置台５３に原稿ＭＳが無い状態であって、可動原稿テーブル５３ｂが下降した図９に示す状態である。この場合は、底板ホームポジションセンサ６０の検知状態の情報を取得する（Ｓ１４）。
【００９７】
一方、原稿セットセンサ６３の検知状態がＯＦＦの場合（Ｓ１２で「Ｎ」）は、原稿セットセンサ６３の検知位置にセットフィラー６２が無い状態であり、このときは、原稿ＭＳがセットフィラー６２に突き当たっているため、原稿載置台５３に原稿ＭＳがある状態であって、可動原稿テーブル５３ｂが上昇した図１０に示す状態である。この場合は、底板上昇モータ１０５を逆転駆動して（Ｓ１３）、原稿ＭＳがセットフィラー６２に突き当たった状態のまま、可動原稿テーブル５３ｂをホームポジションまで下降させて、図１に示す状態とし、その後、底板ホームポジションセンサ６０の検知状態の情報を取得する（Ｓ１４）。
【００９８】
底板ホームポジションセンサ６０の検知状態がＯＮの場合（Ｓ１４で「Ｙ」）は、コントローラ１００から本体制御部１１１への省エネルギーモード準備完了通知がなされ（Ｓ１５）、本体制御部１１１は省エネルギーモードを実行し（Ｓ１６）、ＡＤＦ５１への電力供給を停止する。
一方、底板ホームポジションセンサ６０の検知状態がＯＦＦの場合（Ｓ１４で「Ｎ」）は、底板ホームポジションセンサ６０の検知状態がＯＮとなるまで、底板上昇モータ１０５を逆転駆動が行わる（Ｓ１３）。ここで、予め定められた時間の逆転駆動を行っても底板ホームポジションセンサ６０の検知状態がＯＮにならない場合は、コントローラ１００から本体制御部１１１へのエラー通知がなされ不図示の表示部にエラー表示がなされる。
このように、複写機５００が省エネルギーモードに移行する前にＡＤＦ５１と通信を行い、ＡＤＦ５１の状態確認を行い可動原稿テーブル５３ｂに原稿がなく、原稿セット待ち状態となっている、または上述した印刷要求待ちで停止しているかのチェックを行い、結果を通信で返す構成となっている。
【００９９】
図１２に示すフローによって省エネルギーモードに移行した複写機５００では、狭持状態を解除した後に省エネルギーモードとなるため、原稿ＭＳを原稿載置台５３に載置したままの状態で所定の時間が経過すると、原稿ＭＳに対する狭持状態は解除された後に省エネルギーモードとなる。このとき、原稿載置台５３から原稿ＭＳを回収すると、狭持状態が解除された状態で原稿載置台５３から原稿ＭＳが無くなるため、次に新たな原稿ＭＳを原稿載置台５３にセットする際に、ピックアップローラ８０や可動原稿テーブル５３ｂによってセットを妨げることなく原稿ＭＳのセットが可能となる。このため、原稿ＭＳを原稿載置台５３に載置したままの状態で省エネルギーモードとなっても、上記（３）の電力復帰トリガーを用いることができ、使用者は原稿載置台５３に原稿ＭＳをセットするだけで省エネルギーモードを解除することができる。
【０１００】
このように、ＡＤＦ５１では、原稿ＭＳを原稿載置台５３に載置したままの状態で省エネルギーモードとなっても、上記（３）の電力復帰トリガーを含め、全ての電力復帰トリガーを用いることができ、使用者が原稿載置台５３にセットするだけで省エネルギーモードが解除されるため、使用者の良好な使用感を維持することができる。
本実施形態の複写機５００は、省エネルギーモードの状態では、ＡＤＦ５１の各電動部材の動作を制御する制御手段であるコントローラ１００への電力の供給も停止する構成であるが、省エネルギーモード時に、コントローラ１００への電力の供給は継続し、他の電動部材への電力の供給を停止する構成としてもよい。
【０１０１】
〔変形例〕
次に、本発明の特徴部を適用した複写機５００の変形例について説明する。
上述した実施形態では、所定時間の間に駆動命令が入力されない場合には、本体制御部１１１からコントローラ１００に省エネルギーモードへ移行する準備通知がなされる構成について説明したが、変形例では、この準備通知を行う設定と、準備通知を行わない設定とを使用者の好みに応じて予め設定可能な構成としている。なお、変形例は、省エネルギーモードへ移行するまでの制御が異なるのみで、複写機５００の機構的な構成は上述した実施形態と同様である。
【０１０２】
変形例の複写機５００では、上述した実施形態と同様に原稿載置台５３近傍に配置され、省エネルギーモードに移行しても原稿載置台５３の原稿の有無を検知することが出来る原稿セットセンサ６３を備える。
そして、使用者の好みに応じて予め設定可能なユーザー設定として、以下の設定αと設定βとのいずれかを選択して設定することが出来る構成となっている。
設定α：省エネルギーモードに移行する際に、本体制御部１１１とコントローラ１００とが通信を行い、ＡＤＦ５１の状態を確認して可動原稿テーブル５３ｂの位置をホームポジションとした後に省エネルギーモードに移行する制御を行う設定。
設定β：省エネルギーモードに移行する際に、本体制御部１１１とコントローラ１００とが通信を行わず省エネルギーモードに移行する制御を行う設定。
【０１０３】
また、設定βを選択した場合は、以下の設定β１と設定β２との何れかを選択して設定することが出来る構成となっている。
設定β１：省エネルギーモード時に原稿セットセンサ６３の検知状態がＯＦＦからＯＮに変化したら可動原稿テーブル５３ｂの位置をホームポジションとする制御を行う設定。
設定β２：省エネルギーモード時に原稿セットセンサ６３の検知状態がＯＦＦからＯＮに変化しても新たな制御を行わない設定。
このように、変形例の複写機５００では、省エネルギーモードに関わる制御の設定を、使用者の好みに応じて設定が可能であるため、使用者の利便性を高めることができる。
【０１０４】
図１３は、変形例の複写機５００において、所定時間の間に駆動命令が入力されない場合に実行される省エネルギーモードに移行する制御のフローチャートである。
変形例の複写機５００では、所定時間の間に駆動命令が入力されない場合、本体制御部１１１においてユーザー設定が設定αか設定βかを確認する（Ｓ２１）。ユーザー設定が設定αの場合（Ｓ２２で「Ｙ」）、上述した実施形態の複写機５００と同様の制御がなされる。
【０１０５】
すなわち、本体制御部１１１からコントローラ１００に省エネルギーモードへ移行する準備通知がなされ（Ｓ２３）、コントローラ１００は原稿セットセンサ６３の検知状態の情報を取得する（Ｓ２４）。ここで、原稿セットセンサ６３の検知状態がＯＮの場合（Ｓ２４で「Ｙ」）は、底板ホームポジションセンサ６０の検知状態の情報を取得する（Ｓ２６）。原稿セットセンサ６３の検知状態がＯＦＦの場合（Ｓ２４で「Ｎ」）は、底板上昇モータ１０５を逆転駆動して（Ｓ２５）、その後、底板ホームポジションセンサ６０の検知状態の情報を取得する（Ｓ２６）。
底板ホームポジションセンサ６０の検知状態がＯＮの場合（Ｓ２６で「Ｙ」）は、コントローラ１００から本体制御部１１１への省エネルギーモード準備完了通知がなされ（Ｓ２７）、本体制御部１１１は省エネルギーモードを実行し（Ｓ２８）、ＡＤＦ５１への電力供給を停止する。
底板ホームポジションセンサ６０の検知状態がＯＦＦの場合（Ｓ１４で「Ｎ」）は、底板上昇モータ１０５を逆転駆動が繰り返され（Ｓ２５）、予め定められた時間の逆転駆動を行っても底板ホームポジションセンサ６０の検知状態がＯＮにならない場合は、不図示の表示部にエラー表示がなされる。
【０１０６】
変形例の複写機５００で設定αの場合は、実施形態の複写機５００と同様に原稿ＭＳを原稿載置台５３に載置したままの状態で所定の時間が経過すると、図１で示すように、原稿ＭＳに対する狭持状態が解除された後に省エネルギーモードとなる。よって、原稿ＭＳを原稿載置台５３に載置したままの状態で省エネルギーモードとなっても、上記（３）の電力復帰トリガーを用いることができ、使用者は原稿載置台５３に原稿ＭＳをセットするだけで省エネルギーモードを解除することができる。
【０１０７】
一方、ユーザー設定が設定βの場合（Ｓ２２で「Ｎ」）は、本体制御部１１１はコントローラ１００との通信を行わず、省エネルギーモードを実行し（Ｓ２８）、ＡＤＦ５１への電力供給を停止する。このように、設定βの場合は、本体制御部１１１はコントローラ１００との通信を行わないため、ＡＤＦ５１の状態によらず省エネルギーモードに移行する。
このため、設定βが選択された複写機５００において、原稿ＭＳを原稿載置台５３に載置したままの状態で、所定の時間が経過すると、図１０に示すように、原稿ＭＳが可動原稿テーブル５３ｂとピックアップローラ８０とに狭持されたままの状態で省エネルギーモードに移行する。
設定βが選択された複写機５００では、原稿ＭＳを原稿載置台５３に載置したままの状態で省エネルギーモードとなった後、原稿ＭＳを回収したときの制御が設定β１の場合と設定β２の場合とで異なる。
【０１０８】
図１４は、変形例の複写機５００において、ユーザー設定として設定βが選択され、原稿ＭＳを原稿載置台５３に載置したままの状態で省エネルギーモードとなった後の省エネルギーモード実行中に、原稿ＭＳを回収されたときの制御のフローチャートである。
原稿載置台５３に載置したままの状態で省エネルギーモード（Ｓ３１）となると、セットフィラー６２に原稿ＭＳが突き当たった状態であるので、原稿セットセンサ６３の検知状態はＯＦＦとなっている。
このような省エネルギーモード実行時（Ｓ３１）に、原稿載置台５３から原稿ＭＳを回収すると、原稿ＭＳの突き当たりが解除され、セットフィラー６２が原稿セットセンサ６３の検知位置に到達し、原稿セットセンサ６３の検知状態がＯＦＦからＯＮに変化したことが本体制御部１１１によって検出される（Ｓ３２）。
【０１０９】
原稿セットセンサ６３の検知状態がＯＦＦからＯＮに変化したこと検出した本体制御部１１１は、ユーザー設定が設定β１か設定β２かを確認する（Ｓ２１）。ユーザー設定が設定β２の場合（Ｓ３３で「Ｎ」）は、新たな制御は行わず、原稿載置台５３上から原稿ＭＳがなくなっても図１１で示すように狭持状態が維持されたまま、省エネルギーモードが継続される（Ｓ３４）。このように、設定β２では、原稿載置台５３上に原稿ＭＳがなくても狭持状態のまま省エネルギーモードが継続される場合があり、このような場合は、原稿ＭＳを再セットできないため、上記（３）の電力復帰トリガーを用いることが出来ず、使用者は省エネルギーモードを解除するために、上記（３）以外の電力復帰トリガーを実行する必要がある。
【０１１０】
一方、ユーザー設定が設定β１の場合（Ｓ３３で「Ｙ」）は、本体制御部１１１はＡＤＦ５１への電力の供給を再開し、省エネルギーモードを解除する（Ｓ３５）。その後、電力の供給が再開されたコントローラ１００は、原稿セットセンサ６３と底板ホームポジションセンサ６０とのの検知状態の情報を取得し、原稿セットセンサ６３の検知状態がＯＮであることと、底板ホームポジションセンサ６０の検知状態がＯＦＦであることを検出する。このような検出結果の場合は、原稿載置台５３に原稿ＭＳがセットされていないにも関わらず、可動原稿テーブル５３ｂが上昇したままの状態（図１１に示す状態）である。よって、コントローラ１００は、底板上昇モータ１０５を逆転駆動して（Ｓ３６）、可動原稿テーブル５３ｂをホームポジションまで下降させて、図９に示す状態とし、その後、底板ホームポジションセンサ６０の検知状態の情報を取得する（Ｓ３７）。
【０１１１】
底板ホームポジションセンサ６０の検知状態がＯＮの場合（Ｓ３７で「Ｙ」）は、コントローラ１００から本体制御部１１１へ底板下降完了通知がなされ、本体制御部１１１は省エネルギーモードを再開し（Ｓ３８）、ＡＤＦ５１への電力供給を停止する。
このように、変形例の複写機５００で設定β１の場合は、原稿ＭＳを原稿載置台５３に載置したままの状態で所定の時間が経過すると、図１０で示すように、狭持状態が維持されたまま省エネルギーモードとなる。しかし、原稿ＭＳを回収すると、可動原稿テーブル５３ｂをホームポジションまで下降させた後に、省エネルギーモードを再開するため、改めて原稿ＭＳをセットするときに、上記（３）の電力復帰トリガーを用いることができ、使用者は原稿載置台５３に原稿ＭＳをセットするだけで省エネルギーモードを解除することができる。
【０１１２】
なお、可動原稿テーブル５３ｂをホームポジションまで下降させた後に、省エネルギーモードを再開するタイミングとしては、底板ホームポジションセンサ６０の検知状態がＯＮになった後、すぐである。これにより、省エネルギーモードを解除する構成であっても、ＡＤＦ５１に供給する電力を最低限に抑えることができ、消費電力の増大を抑制することが出来る。
省エネルギーモードを再開するタイミングとしては、使用者の好みによって、底板ホームポジションセンサ６０の検知状態がＯＮになった後、所定時間経過した後とする設定を設けてもよい。
【０１１３】
底板ホームポジションセンサ６０の検知状態がＯＮになった後、すぐに省エネルギーモードを再開する設定の場合、省エネルギーモードとなった状態から原稿ＭＳを回収して、すぐに次のコピーを行おうとしたときに時間がかかってしまう。詳しくは、省エネルギーモードの状態から原稿ＭＳを回収すると、可動原稿テーブル５３ｂが下降し、ホームポジションに到達するとすぐに省エネルギーモードが再開される。このとき、原稿ＭＳを回収して、すぐに原稿ＭＳをセットし直しても、一度、省エネルギーモードに移行し、その後、上記（３）の電力復帰トリガーに基づいて省エネルギーモードが解除され、その後の原稿ＭＳがセットされていることに検知結果に基づいて、可動原稿テーブル５３ｂを上昇し、印刷要求待ちの状態となる。このように、すぐにコピー動作を行いたいときに、省エネルギーモードに移行する制御と、解除する制御とが行われると、時間を要し、さらに、すぐにコピーを行うにもかかわらず、一度、省エネルギーモードに移行する制御を行うことは無駄な制御である。
【０１１４】
一方、底板ホームポジションセンサ６０の検知状態がＯＮになった後、所定時間経過した後に省エネルギーモードを再開する設定であれば、原稿ＭＳを回収して、すぐに原稿ＭＳをセットし直すと、省エネルギーモードに移行する前に、回収によって下降した可動原稿テーブル５３ｂに原稿ＭＳがセットされたことを検知し、この検知結果に基づいて、可動原稿テーブル５３ｂを上昇し、印刷要求待ちの状態となる。この設定であれば、原稿ＭＳを回収した後、すぐにコピー動作を行いたいときに、省エネルギーモードに移行する制御や解除する制御が行われないため、原稿ＭＳを回収してから次のコピー動作を行うまでの時間を短縮することができる。
【０１１５】
変形例の複写機５００では、設定αは、設定β２と比較すると、改めて原稿ＭＳをセットするときに、上記（３）の電力復帰トリガーを用いることができ、使用者は原稿載置台５３に原稿ＭＳをセットするだけで省エネルギーモードを解除することができるという利点がある。
また、設定αは、設定β１と比較すると原稿ＭＳを原稿載置台５３に載置したままの状態で所定時間経過すると、狭持状態が解除されてから省エネルギーモードに移行するため、省エネルギーモードに移行した後に原稿ＭＳが回収されても省エネルギーモードを解除する制御を行わないため、原稿ＭＳの回収だけのために省エネルギーモードが解除されることがなく、省エネルギーモードになってからの電力消費を抑制できるというメリットがある。
【０１１６】
設定β１は、設定αと比較すると、省エネルギーモードに移行するときに、本体制御部１１１がコントローラ１００との通信を行うことなく、ＡＤＦ５１がどのような状態であっても省エネルギーモードに移行するため、所定時間経過後から省エネルギーモードに移行するまでの時間を短縮することができる。この短縮した時間の分、ＡＤＦ５１に供給される電力量を低減することができ、省エネルギーモード移行時の電力消費を抑制できるというメリットがある。
また、設定β１は、設定β２と比較すると、改めて原稿ＭＳをセットするときに、上記（３）の電力復帰トリガーを用いることができ、使用者は原稿ＭＳを回収した後、原稿載置台５３に原稿ＭＳをセットするだけで省エネルギーモードを解除することができるという利点がある。
【０１１７】
設定β２は、設定αと比較すると、省エネルギーモードに移行するときに、本体制御部１１１がコントローラ１００との通信を行うことなく、ＡＤＦ５１がどのような状態であっても省エネルギーモードに移行するため、所定時間経過後から省エネルギーモードに移行するまでの時間を短縮することができる。この短縮した時間の分、ＡＤＦ５１に供給される電力量を低減することができ、省エネルギーモード移行時の電力消費を抑制できるというメリットがある。
また、設定β２は、設定β１と比較すると、省エネルギーモードに移行した後に原稿ＭＳが回収されても省エネルギーモードを解除する制御を行わないため、原稿ＭＳの回収だけのために省エネルギーモードが解除されることがなく、省エネルギーモードになってからの電力消費を抑制できるというメリットがある。
すなわち、設定β２は、消費電力を極力抑えたい使用者に適した設定である。
【０１１８】
このように、設定α、β１及びβ２は、他の設定と比較したメリットをそれぞれ備えているため、そのメリットに応じて使用者がユーザー設定を行うことにより、使用者の好みに応じた制御を行うことができる複写機５００を実現可能となる。
【０１１９】
変形例の設定βが選択された複写機５００では、図１０に示すように、原稿ＭＳが狭持されたままの状態で省エネルギーモードとなった状態で、原稿ＭＳが回収される前に、リフトアップ等の上記（３）以外の電力復帰トリガーが実行されることがある。
変形例の複写機５００では、この場合の制御として以下の設定γ１と設定γ２との何れかを選択して設定することが出来る構成となっている。
設定γ１：原稿ＭＳが狭持されたままの状態で省エネルギーモードとなった状態で、電力復帰トリガーが実行されると、可動原稿テーブル５３ｂを下降させる設定。
設定γ２：原稿ＭＳが狭持されたままの状態で省エネルギーモードとなった状態で、電力復帰トリガーが実行されても、可動原稿テーブル５３ｂを下降させない設定。
【０１２０】
設定γ１であれば、上記（３）以外の電力復帰トリガーが実行されることで電力の供給が再開されときに、可動原稿テーブル５３ｂが下降し、その後、原稿ＭＳが給紙されること無く、再び所定時間が経過した場合、可動原稿テーブル５３ｂが下降した状態で省エネルギーモードとなる。このため、設定βを選択し、原稿ＭＳが狭持されたままの状態で省エネルギーモードとなったとしても、他の電力復帰トリガーによって電力の供給が再開したときに合わせて可動原稿テーブル５３ｂを下降させることで、可動原稿テーブル５３ｂを下降させるだけのためにＡＤＦ５１に電力を供給する必要がない。よって、消費電力を抑えつつ、他の電力復帰トリガーによって一度、電力の供給を再開した後は、上記（３）の電力復帰トリガーを用いることができ、使用者は原稿載置台５３に原稿ＭＳをセットするだけで省エネルギーモードを解除することができる。
【０１２１】
設定γ２であれば、上記（３）以外の電力復帰トリガーが実行されることで電力の供給が再開されても、可動原稿テーブル５３ｂが下降せず、狭持状態を維持したままである。上記（３）以外の電力復帰トリガーのうち、特に、上記（２）のリフトアップ動作時には、ＡＤＦ５１が開閉操作されるため、原稿載置台５３上の原稿ＭＳを押さえていないと、原稿ＭＳの落下や、原稿ＭＳのスキューが発生するおそれがある。また、他の電力復帰トリガーであっても原稿載置台５３に衝撃が伝達することで、原稿ＭＳの落下や、原稿ＭＳのスキューが発生するおそれがある。
これに対して、設定γ２であれば、上記（３）以外の電力復帰トリガーが実行されることで電力の供給が再開されても、狭持状態が維持され、原稿載置台５３上の原稿ＭＳを押さえた状態であるため、原稿ＭＳの落下や、原稿ＭＳのスキューが発生することを抑制できる。
さらに、設定γ２であれば、上記（３）以外の電力復帰トリガーが実行されることで電力の供給が再開されたときに、原稿ＭＳは狭持状態であり、印刷要求待ちの状態となる。このため、電力の供給が再開された後、操作部１０８のコピースタートボタン１５８を押すことで、すぐに原稿ＭＳの給紙を開始することができる。
【０１２２】
変形例の設定β２が選択された複写機５００では、原稿ＭＳが狭持されたままの状態で省エネルギーモードとなり、原稿ＭＳが回収された後に、リフトアップ等の上記（３）以外の電力復帰トリガーが実行されることがある。この場合は、可動原稿テーブル５３ｂを下降させる制御を行う。これにより、他の電力復帰トリガーによって電力の供給が再開したときに合わせて可動原稿テーブル５３ｂを下降させることができる。このような設定であれば、消費電力を抑えつつ、他の電力復帰トリガーによって一度、電力の供給を再開した後は、上記（３）の電力復帰トリガーを用いることができ、使用者は原稿載置台５３に原稿ＭＳをセットするだけで省エネルギーモードを解除することができる。
【０１２３】
変形例の複写機５００では、省エネルギーモードに移行する前に本体制御部１１１がコントローラ１００との通信を行わず、図９または図１０の状態で省エネルギーモードに移行する設定βと、省エネルギーモードに移行する前に本体制御部１１１がコントローラ１００との通信を行い、図９のまま、または、図１０状態から図１の状態へ動作してから省エネルギーモードに移行する設定αとの制御条件を、ユーザー設定で選択することができる。
省エネルギーモードに移行する前の制御条件を選択出来ることで、設定βの場合は電力の消費を低減出来、設定αの場合は省エネルギーモードから復帰した後の画像読取操作への時間短縮が可能となる。
【０１２４】
以上に説明したものは一例であり、本発明は、次の態様毎に特有の効果を奏する。
（態様Ａ）
原稿ＭＳ等のシート材を収容する原稿載置台５３等のシート材収容部と、シート材を所定の搬送目的位置まで搬送するプルアウトローラ対８６、中間ローラ対６６及び読取入口ローラ対９０等のシート材搬送部と、シート材収容部におけるシート材の有無を検知する原稿セットセンサ６３等のシート材検知手段と、シート材収容部内上に収容されたシート材を狭持するピックアップローラ８０、可動原稿テーブル５３ｂ及び底板上昇モータ１０５等のシート材狭持手段と、シート材狭持手段によって狭持されたシート材にシート材搬送部側に向かう搬送力を付与して該シート材を送り出すピックアップローラ８０等のシート材送出手段と、入力される駆動命令に応じて各電動機構の駆動を制御するコントローラ１００及び本体制御部１１１等の制御手段とを有し、制御手段は、シート材検知手段がシート材有りの状態を検知したときにはシート材収容部内のシート材を挟持する狭持状態となるようにシート材狭持手段を制御し、シート材収容部内に該シート材が無いことを検知したときには狭持状態を解除するように制御するものであり、制御手段は、所定時間の間に該駆動命令が入力されない場合、駆動時に通電を要する電動機構のうち、シート材検知手段以外の少なくとも一部（原稿セットセンサ６３以外のＡＤＦ５１全体等）に対する通電を停止する省エネルギーモード等の節電モードを実行し、節電モードの実行時に、シート材検知手段によるシート材収容部におけるシート材の検知状態が、無しから有りに変化すると節電モードを解除する解除条件が設定されたＡＤＦ５１等のシート材搬送装置において、コントローラ１００及び本体制御部１１１等の制御手段は、節電モードを実行する前に、狭持状態を解除するようにシート材狭持手段を制御する。これによれば、上記実施形態について説明したように、狭持状態を解除した後に節電モードとなるため、シート材をシート材収容部に収容したままの状態で所定の時間が経過すると、シート材の狭持状態は解除された後に節電モードとなる。このとき、シート材収容部からシート材を回収すると、狭持状態が解除された状態でシート材収容部からシート材が無くなるため、次に新たなシート材をシート材収容部にセットする際に、シート材狭持手段によってセットを妨げることなくシート材のセットが可能となる。シート材狭持手段によってセットを妨げることなく新たなシート材をセットすることで、シート材検知手段によるシート材収容部におけるシート材の検知状態を、無しから有りに変化させることができ、この検知状態の変化は節電解除条件に設定されている。よって、シート材をシート材収容部に収容したままの状態で節電モードに移行し、その後、収容されていたシート材が回収されても、使用者はシート材収容部にシート材をセットするだけで節電モードを解除することができる。
（態様Ｂ）
（態様Ａ）において、シート材狭持手段は、シート材収容部は、載置面の上方にシート材が載置されることでシート材を収容する原稿載置台５３等のシート材載置部であり、シート材載置部の少なくとも一部（可動原稿テーブル５３ｂ等）を上昇及び下降させる底板上昇モータ１０５等の載置部昇降手段と、該シート材載置部との間で原稿ＭＳ等のシート材を挟み込むピックアップローラ８０等のシート材上部狭持部材とを備え、載置部昇降手段が、シート材載置部を上昇させることでシート材載置部とシート材上部狭持部材との距離が狭まり狭持状態となり、載置部昇降手段が、シート材載置部を下降させることでシート材載置部とシート材上部狭持部材との距離が広がり狭持状態が解除される。これによれば、上記実施形態について説明したように、シート材載置部上に載置されたシート材を狭持するシート材狭持手段を実現できる。なお、上述した実施形態では、シート材上部狭持部材がピックアップローラ８０であり、このピックアップローラ８０によって、シート材上部狭持部材とシート材送出手段とを兼用する構成である。
（態様Ｃ）
（態様Ａ）または（態様Ｂ）の態様において、使用時の設定を選択できるユーザー設定等の使用者設定として、所定時間の間に駆動命令が入力されない場合に、コントローラ１００及び本体制御部１１１等の制御手段が省エネルギーモード等の節電モードを実行する前に、狭持状態を解除するように底板上昇モータ１０５等のシート材狭持手段を制御する設定α等の狭持解除優先設定と、所定時間の間に駆動命令が入力されない場合に、制御手段が狭持状態を解除する制御を行うことなく節電モードを実行する設定β等の節電優先設定とを選択可能である。これによれば、変形例について説明したように、節電モードに関わる制御の設定を、使用者の好みに応じて設定が可能であるため、使用者の利便性を高めることができる。
（態様Ｄ）
（態様Ｃ）において、設定β等の節電優先設定の状態でのさらなる使用者設定として、省エネルギーモード等の節電モードの実行時に、原稿セットセンサ６３等のシート材検知手段による原稿載置台５３等のシート材収容部における原稿ＭＳ等のシート材の検知状態が、有りから無しに変化すると節電モードを解除する設定β１等のシート材除去時節電解除設定と、検知状態が、有りから無しに変化しても節電モードを解除しない設定β２等のシート材除去時節電継続設定とを選択可能である。これによれば、節電モード移行時の節電を優先した設定において、シート材除去時節電解除設定のようにある程度の利便性を確保する設定と、シート材除去時節電継続設定のように更なる節電を優先した設定とを選択することが出来るため、使用者の利便性をさらに高めることができる。
（態様Ｅ）
シート材としての原稿ＭＳ等の原稿用紙を搬送する原稿搬送手段と、原稿搬送手段によって搬送される原稿用紙の原稿画像を読み取るスキャナ１５０等の搬送原稿読取手段とを備えた画像読取ユニット５０等の画像読取装置において、原稿搬送手段として、ＡＤＦ５１等の（態様Ａ）乃至（態様Ｄ）の何れか一つの態様のシート材搬送装置を用いる。これによれば、上記実施形態について説明したように、シート搬送装置での使用者の良好な使用感を維持することができるため、使用者が画像読み取り動作を行い易い画像読取装置を実現できる。
（態様Ｆ）
態様Ｅにおいて、使用者により第二コンタクトガラス１５５等の所定の固定位置にセットされた静止した状態の原稿ＭＳ等の原稿用紙の原稿画像を読み取る移動読取部１５２及び画像読取センサ１５３等の静止原稿読取部と、開放することにより、固定位置が露出し、原稿用紙をセット可能な状態とするＡＤＦ５１等の開閉部材とを備え、ＡＤＦ５１等のシート材搬送装置が省エネルギーモード等の節電モードの実行時に、開閉部材が開放されると、節電モードが解除される。これによれば、上記変形例について説明したように、シート材をシート収容部にセットするという節電解除操作が行えないときに、開閉部材を開放することで節電モードを解除できる。
（態様Ｇ）
画像読取手段と、画像読取手段で読み取った原稿画像に基づいて画像を形成する画像形成部１等の画像形成手段とを備える複写機５００等の画像形成装置において、画像読取手段として、態様Ｅまたは態様Ｆの画像読取装置を備える。これによれば、上記実施形態について説明したように、使用者が画像読み取り動作を行い易いことにより、使用者がコピー動作を行いやすい画像形成装置を実現できる。
【符号の説明】
【０１２５】
１  画像形成部
２４  転写ユニット
２５  中間転写ベルト
２８  紙搬送ユニット
３４  定着装置
４０  転写紙供給装置
５０  画像読取ユニット
５１  ＡＤＦ
５３  原稿載置台
５３ａ  固定原稿テーブル
５３ｂ  可動原稿テーブル
５３ｃ  底板昇降用レバー
５３ｄ  底板下降状態検知フィラー
５３ｅ  原稿セットガイド
５３ｆ  底板昇降用回転軸
５４  原稿搬送部
５５  原稿スタック台
５９  テーブル上昇センサ
６０  底板ホームポジションセンサ
６１  排紙センサ
６２  セットフィラー
６３  原稿セットセンサ
６５  レジストセンサ
８０  ピックアップローラ
８０ａ  ピックアップローラ用アーム
８０ｂ  ピックアップ位置検知フィラー
８４  給紙ベルト
８４ａ  給紙ローラ
８５  リバースローラ
９５  第二固定読取部
１００  コントローラ
１０１  ピックアップ昇降モータ
１０２  給紙モータ
１０３  読取モータ
１０４  排紙モータ
１０５  底板上昇モータ
１０８  操作部
１１１  本体制御部
１１３  プルアウトモータ
１１４  読取入口モータ
１１５  ピックアップ搬送モータ
１４５  給紙部カバー
１４５ａ  カバー回動中心
１５０  スキャナ
１５１  第一固定読取部
１５２  移動読取部
１５３  画像読取センサ
１５８  コピースタートボタン
４００  第一読取位置
５００  複写機
【先行技術文献】
【特許文献】
【０１２６】
【特許文献１】特開２０００−１７４９７８号公報
【図１】
0005939459.tif 000002
【図２】
0005939459.tif 000003
【図３】
0005939459.tif 000004
【図４】
0005939459.tif 000005
【図５】
0005939459.tif 000006
【図６】
0005939459.tif 000007
【図７】
0005939459.tif 000008
【図８】
0005939459.tif 000009
【図９】
0005939459.tif 000010
【図１０】
0005939459.tif 000011
【図１１】
0005939459.tif 000012
【図１２】
0005939459.tif 000013
【図１３】
0005939459.tif 000014
【図１４】
0005939459.tif 000015